(57)【特許請求の範囲】
【請求項１】
アップリンク閉ループ送信ダイバーシティ（ＣＬＴＤ）をアクティブ化または非アクティブ化する方法であって、前記方法は、
ＨＳ−ＳＣＣＨ（high speed shared control channel）オーダーを介してオーダータイプおよびオーダーマッピングを受信するステップと、
前記オーダータイプおよび前記オーダーマッピングに基づいてＣＬＴＤのアクティブ化状況を判定するステップであって、前記オーダータイプは、ＣＬＴＤの前記アクティブ化状況を示す３ビット「０１１」を備える、ステップと、
前記オーダータイプおよび前記オーダーマッピングに基づいてＣＬＴＤの前記アクティブ化状況を適用するステップと
を備えることを特徴とする方法。
【請求項２】
ＣＬＴＤの前記アクティブ化状況は、ＣＬＴＤまたはアップリンク多入力多出力（ＭＩＭＯ）の少なくとも１つをアクティブ化または非アクティブ化することを特徴とする請求項１に記載の方法。
【請求項３】
前記オーダーマッピングがビットの第１のシーケンスを備えるときに、ＣＬＴＤの前記アクティブ化状況がアクティブであると判定するステップと、
前記オーダーマッピングがビットの第２のシーケンスを備えるときに、ＣＬＴＤの前記アクティブ化状況が非アクティブであると判定するステップと
をさらに備えることを特徴とする請求項１に記載の方法。
【請求項４】
前記オーダーマッピングは、ＣＬＴＤの前記アクティブ化状況を示す３ビットのシーケンスを備えることを特徴とする請求項１に記載の方法。
【請求項５】
３ビットの前記シーケンスが「１１１」の値を含むときに、ＣＬＴＤの前記アクティブ化状況がアクティブであると判定するステップをさらに備えることを特徴とする請求項４に記載の方法。
【請求項６】
３ビットの前記シーケンスが「１０１」、「１１０」、「００１」または「０１０」の少なくとも１つの値を含むときにＣＬＴＤの前記アクティブ化状況が非アクティブであると判定するステップをさらに備えることを特徴とする請求項４に記載の方法。
【請求項７】
前記オーダータイプおよび前記オーダーマッピングに基づいてＣＬＴＤの前記アクティブ化状況を判定するステップは、
前記受信されたオーダータイプをマッピングテーブル内の１つまたは複数のオーダータイプと比較するステップと、
前記受信されたオーダーマッピングを前記マッピングテーブル内の１つまたは複数のオーダーマッピングと比較するステップと、
前記受信されたオーダータイプが前記マッピングテーブル内の前記１つまたは複数のオーダータイプの１つと一致し、および前記受信されたオーダーマッピングが前記マッピングテーブル内の前記１つまたは複数のオーダーマッピングの１つと一致する場合に、ＣＬＴＤの前記アクティブ化状況にアクセスするステップと
をさらに備えることを特徴とする請求項１に記載の方法。
【請求項８】
アップリンク閉ループ送信ダイバーシティ（ＣＬＴＤ）をアクティブ化または非アクティブ化する無線送受信ユニット（ＷＴＲＵ）であって、前記ＷＴＲＵは、
ＨＳ−ＳＣＣＨ（high speed shared control channel）オーダーを介してオーダータイプおよびオーダーマッピングを受信することと、
前記オーダータイプおよび前記オーダーマッピングに基づいてＣＬＴＤのアクティブ化状況を判定することであって、前記オーダータイプは、ＣＬＴＤの前記アクティブ化状況を示す３ビット「０１１」を備える、ことと、
前記オーダータイプおよび前記オーダーマッピングに基づいてＣＬＴＤの前記アクティブ化状況を適用することと
を行うように構成されたプロセッサ
を備えることを特徴とするＷＴＲＵ。
【請求項９】
前記プロセッサは、ＣＬＴＤの前記アクティブ化状況を使用して、ＣＬＴＤまたはアップリンク多入力多出力（ＭＩＭＯ）の少なくとも１つをアクティブ化または非アクティブ化するように構成されていることを特徴とする請求項８に記載のＷＴＲＵ。
【請求項１０】
前記プロセッサは、
前記オーダーマッピングがビットの第１のシーケンスを備えるときに、ＣＬＴＤの前記アクティブ化状況がアクティブであると判定し、
前記オーダーマッピングがビットの第２のシーケンスを備えるときに、ＣＬＴＤの前記アクティブ化状況が非アクティブであると判定する
ように構成されていることを特徴とする請求項８に記載のＷＴＲＵ。
【請求項１１】
前記オーダーマッピングは、ＣＬＴＤの前記アクティブ化状況を示す３ビットのシーケンスを備えることを特徴とする請求項８に記載のＷＴＲＵ。
【請求項１２】
前記プロセッサは、３ビットの前記シーケンスが「１１１」の値を含むときに、ＣＬＴＤの前記アクティブ化状況がアクティブであると判定するように構成されていることを特徴とする請求項１１に記載のＷＴＲＵ。
【請求項１３】
前記プロセッサは、３ビットの前記シーケンスが「１０１」、「１１０」、「００１」または「０１０」の少なくとも１つの値を含むときに、ＣＬＴＤの前記アクティブ化状況が非アクティブであると判定するように構成されていることを特徴とする請求項１１に記載のＷＴＲＵ。
【請求項１４】
前記プロセッサが前記オーダータイプおよび前記オーダーマッピングに基づいてＣＬＴＤの前記アクティブ化状況を判定するように構成されていることは、前記プロセッサが、
前記受信されたオーダータイプをマッピングテーブル内の１つまたは複数のオーダータイプと比較し、
前記受信されたオーダーマッピングを前記マッピングテーブル内の１つまたは複数のオーダーマッピングと比較し、
前記受信されたオーダータイプが前記マッピングテーブル内の前記１つまたは複数のオーダータイプの１つと一致し、および前記受信されたオーダーマッピングが前記マッピングテーブル内の前記１つまたは複数のオーダーマッピングの１つと一致する場合に、ＣＬＴＤの前記アクティブ化状況にアクセスする
ように構成されていることを含むことを特徴とする請求項８に記載のＷＴＲＵ。
【発明の詳細な説明】
【技術分野】
【０００１】
本発明は、無線通信に関する。
【背景技術】
【０００２】
通常、無線通信システムは、エンドユーザがモバイル機器を介して電子メールおよびウェブコンテンツなどにアクセスすることができるように、携帯電話機、ラップトップ機、およびタブレットなどのモバイル機器を操作するエンドユーザにデータ帯域幅を提供する。現在、そのようなモバイル機器およびデータ帯域幅に関するエンドユーザからの需要は増加し続けている。残念ながら、現在使用可能なデータ帯域幅は、今日、制限される傾向にあり、エンドユーザからの需要を満足しない。従って、いくつかの無線通信技術が、データ帯域幅を改善するために開発されてきた。データ帯域幅を改善するために無線通信システムに含まれた１つのそのような技術は、デュアルセルＨＳＤＰＡ（Dual Cell High-Speed Downlink Packet Access）またはＭＣ−ＨＳＤＰＡ（マルチキャリアＨＳＤＰＡ）を含む。そのようなデュアルセルＨＳＤＰＡまたはＭＣ−ＨＳＤＰＡは、ユーザごとに使用可能なデータレートおよび帯域幅を増やせるように、複数のＨＳＤＰＡキャリアまたはセルの同時使用を提供することができる。例えば、デュアルセルＨＳＤＰＡは、ユーザあたりのデータレートおよび帯域幅を単一セルＨＳＤＰＡから２倍にすることができるように、ＨＳＤＰＡ動作で２つのセルまたはキャリアの同時使用を提供することができる。同様に、ＭＣ−ＨＳＤＰＡは、例えば、デュアルセルＨＳＤＰＡからユーザあたりのデータレートまたは帯域幅を２倍にする４つのＨＳＤＰＡダウンリンクキャリアまたはセル（すなわち、４Ｃ−ＨＳＤＰＡ）の同時使用、およびユーザあたりの使用可能なデータレートまたは帯域幅をさらに２倍にする８キャリアＨＳＤＰＡ（すなわち、８Ｃ−ＨＳＤＰＡ）を提供することができる。
【０００３】
ＨＳＤＰＡ動作に関するキャリアの数が増やされると（例えば、８キャリアＨＳＤＰＡ（すなわち、８Ｃ−ＨＳＤＰＡ））、より高いダウンリンクキャリアスループットおよび改善されたユーザデータレートまたは帯域幅を可能にするが、そのような追加のキャリアをサポートするのに使用されるフィードバック情報および／または制御情報並びにそのための負荷も、ダウンリンクキャリアによって提供される増加された／追加の帯域幅とほぼ同じ倍率だけ増える。それに加えて／さらに、そのような追加のキャリア（例えば、８Ｃ−ＨＳＤＰＡのキャリア５〜８）をサポートするのに使用されるＵＬ  ＣＬＴＤもしくはセカンダリセルのアクティブ化および／または非アクティブ化のためのＨＳ−ＳＣＣＨオーダーも、増える可能性がある。残念ながら、現在の技術は、増やされた量のフィードバック情報および／または制御情報に関連する負荷を減らすのに適していない可能性があり、追加のキャリア（例えば、８Ｃ−ＨＳＤＰＡに関連する５〜８個の追加のキャリア）に関連するＵＬ  ＣＬＴＤもしくはセカンダリセルのアクティブ化および／または非アクティブ化に不十分である可能性がある。
【発明の概要】
【０００４】
マルチキャリアＨＳＤＰＡの制御シグナリングオーバーヘッドを管理するシステムおよび方法を開示する。一態様によれば、方法は、複数のダウンリンクキャリアを受信するステップを含む。さらに、この方法は、複数のダウンリンクキャリアをバンドルするステップを含む。この方法は、ダウンリンクキャリアをアンバンドルするのにマッピング技法を使用するステップをも含む。この方法は、ダウンリンクキャリアのバンドリングをＵＥにシグナリングするステップを含むことができる。
【０００５】
さらに、ＵＬ（uplink）ＣＬＴＤ（closed-loop transmit diversity：閉ループ送信ダイバーシティ）および／またはＭＩＭＯのアクティブ化／非アクティブ化、並びにＵＥアンテナ動作の制御を提供することができる。例えば、ＨＳ−ＳＣＣＨ（High Speed Shared Control Channel）オーダーを使用して、ＵＬ  ＣＬＴＤ／ＭＩＭＯをアクティブ化／非アクティブ化および／またはＵＥアンテナ動作を制御することができる。１つまたは複数のビットおよび／またはオーダーを利用して、ＵＬ  ＣＬＴＤ／ＭＩＭＯアンテナ構成をアクティブ化／非アクティブ化することができる。ＵＬ  ＣＬＴＤ／ＭＩＭＯアンテナ構成を判定する状態ベースの技法を実施することができる。状態の表示（indication）を、ＨＳ−ＳＣＣＨオーダーを介して送信することができる。一例では、単一のビットを使用してＵＬ  ＣＬＴＤをアクティブ化／非アクティブ化することができる。別々のビット、例えば複数の単一のビットを、ＵＬ  ＣＬＴＤアクティブ化／非アクティブ化、アンテナ選択、Ｓ−ＤＰＣＣＨアクティブ化／非アクティブ化、および／またはＵＬ  ＭＩＭＯアクティブ化／非アクティブ化に使用することができる。ＵＥプリコーディングテーブルの制御を、例えばＨＳ−ＳＣＣＨオーダーを介してシグナリングすることもできる。
【０００６】
この「発明の概要」は、以下の「発明を実施するための形態」で後述される概念の選択を単純化された形で紹介するために提供されるものである。この「発明の概要」は、請求される主題の主要な特徴または本質的特徴を識別することを意図されたものではなく、請求される主題の範囲を限定するのに使用されることも意図されていない。さらに、請求される主題は、本開示のいずれかの部分に示された任意のまたは全ての不利点を解決するどの制限にも限定されない。
【図面の簡単な説明】
【０００７】
本明細書で開示される実施形態のより詳細な理解は、添付図面に関連して例として与えられる次の説明から得ることができる。
【図１Ａ】１つまたは複数の開示される実施形態が実施される例示的通信システムを示す図である。
【図１Ｂ】図１Ａに示された通信システム内で使用可能な例示的ＷＴＲＵを示すシステム図である。
【図１Ｃ】図１Ａに示された通信システム内で使用可能な例示的無線アクセスネットワークおよび例示的コアネットワークを示すシステム図である。
【図１Ｄ】図１Ａに示された通信システム内で使用可能な別の例示的無線アクセスネットワークおよび例示的コアネットワークを示すシステム図である。
【図１Ｅ】図１Ａに示された通信システム内で使用可能な別の例示的無線アクセスネットワークおよび例示的コアネットワークを示すシステム図である。
【図２】ＭＣ−ＨＳＤＰＡでのキャリアのペアリングおよび／またはバンドリングの例示的実施形態を示す流れ図である。
【図３】ペアリングされたキャリアを用いる８Ｃ−ＨＳＤＰＡの例示的実施形態を示す図である。
【図４】ペアリングされたキャリアおよびペアリングされないキャリアを用いる８Ｃ−ＨＳＤＰＡの例示的実施形態を示す図である。
【図５】バンドルされたキャリアのデータスプリッタの例示的実施形態を示す図である。
【図６】ペアリングされたキャリアのデータスプリッタの例示的実施形態を示す図である。
【図７】非ＭＩＭＯモード用に構成されたバンドルされたキャリアの合同ＨＳ−ＳＣＣＨに関する符号化チェーン方式の例示的実施形態を示す図である。
【図８】一実施形態によるＭＩＭＯモード用にバンドルされたキャリア構成された合同ＨＳ−ＳＣＣＨに関する符号化チェーンを示す図である。
【図９】１つのＵＬ周波数を用いて構成された８Ｃ−ＨＳＤＰＡ内の２つのＨＳ−ＳＣＣＨオーダーによる１ＤＬから複数ＤＬへの送信タイムラインの例示的実施形態を示す図である。
【図１０】２つのＵＬ周波数を用いて構成された８Ｃ−ＨＳＤＰＡ内の２つのＨＳ−ＳＣＣＨオーダーによる１ＤＬから複数ＤＬへの送信タイムラインの例示的実施形態を示す図である。
【図１１】ＨＳ−ＳＣＣＨオーダーに基づくコードブック切替え方式の例示的実施形態を示す図である。
【図１２】ＨＳ−ＳＣＣＨオーダーに基づくデュアルコードブック切替え方式の例示的実施形態を示す図である。
【図１３】ＨＳ−ＳＣＣＨオーダーに基づく３コードブック切替え方式の例示的実施形態を示す図である。
【発明を実施するための形態】
【０００８】
本明細書では、ＭＣ−ＨＳＤＰＡ（マルチキャリアＨＳＤＰＡ）でのフィードバック情報および／または制御情報とシグナリングとを管理し、かつ／あるいはＭＣ−ＨＳＤＰＡでのＵＬ  ＣＬＴＤ（アップリンク閉ループ送信ダイバーシティ）、ＵＬ  ＭＩＭＯ、またはセカンダリセル（またはキャリア）のアクティブ化および／または非アクティブ化に関するＨＳ−ＳＣＣＨオーダーなどのチャネルオーダーを提供する、システムおよび方法を開示する。上述したように、現在の無線通信システムでは、各ユーザの使用可能なデータ帯域幅は、制限される傾向にあり、通常はユーザからの需要を満足しない。従って、データ帯域幅を増加させる、または改善するために、ＨＳＤＰＡで使用されるキャリアの個数を増やすことができる。例えば、１つのキャリアではなく２つのキャリア、４つのキャリア、および８つのキャリアなどを、データを送信するのに使用し、これによって使用可能なデータ帯域幅を増やすように、単一キャリアではなく、ＭＣ−ＨＳＤＰＡを無線通信システムで実施することができる。残念ながら、上述したように、そのような追加のキャリアをサポートするのに使用されるフィードバック情報および／または制御情報、並びにシグナリングおよびそれに関する負荷も増える可能性がある。例えば、ＭＣ−ＨＳＤＰＡで追加のキャリア（例えば、キャリア５〜８）をサポートするのに使用される可能性があるＬ１制御情報およびシグナリングの量は、例えば、ＨＳ−ＳＣＣＨ、およびＨＳ−ＤＰＣＣＨなどの現在のＨＳ（high speed：高速）チャネル構造およびスケジューリング機能性が使用される可能性がある場合に、キャリアの増やされる個数とほぼ同一の倍率で増える可能性がある。さらに、ＨＳ−ＳＣＣＨなどの現在のＨＳチャネル構造は、追加のキャリア（例えば、８Ｃ−ＨＳＤＰＡに関連する５〜８個の追加のキャリア）に関連するＵＬ  ＣＬＴＤもしくはセカンダリセルをアクティブ化および／または非アクティブ化するのに不十分である可能性がある。
【０００９】
ＭＣ−ＨＳＤＰＡで追加のキャリアに関するフィードバック情報および／または制御情報に関連する負荷を減らすために、様々な方法および／または技法を実施することができる。１つのそのような方法および／または技法は、フィードバック情報および／または制御情報の送信および／またはシグナリングに、より大きい容量およびより小さいＳＦ（spread factor：拡散係数）を用いるＨＳ−ＤＰＣＣＨを使用することを含むことができる。例えば、８Ｃ−ＨＳＤＰＡ（すなわち、８キャリアＨＳＤＰＡ）に関して、より大きい容量（例えば、４Ｃ−ＨＳＤＰＡと比較して８Ｃ−ＨＳＤＰＡについて２倍にすることができる、ＨＡＲＱ−ＡＣＫ／ＮＡＣＫとＣＱＩ（Channel Quality Indicator）および／またはＣＱＩ／ＰＣＩ（Precoding Channel Indicator）など、ＨＳ−ＤＰＣＣＨ上のペイロードを用いて）および６４のＳＦを有するＨＳ−ＤＰＣＣＨを、フィードバック情報および／または制御情報を送信し、かつ／またはシグナリングするのに使用することができる。残念ながら、例えば、そのような方法および／または技法を実施するのに使用することができるＵＥからのトランスポート電力も、キャリアの個数の増加に伴って増える。例えば、８Ｃ−ＨＳＤＰＡを使用することができるＵＥからのトランスポート電力は、追加のキャリア（例えば、キャリア５〜８個）に関する追加のフィードバック情報および／または制御情報を送信し、かつ／またはシグナリングするのにより大きい容量およびより小さいＳＦを有するＨＳ−ＤＰＣＣＨを使用するときに、４Ｃ−ＨＳＤＰＡを使用することができるＵＥからのトランスポート電力より高くなる可能性がある。
【００１０】
別のそのような方法および／または技法は、例えばフィードバック情報および／または制御情報を送信し、かつ／またはシグナリングするときに、複数のＨＳ−ＤＰＣＣＨにわたってフィードバック情報および／または制御情報に関連する負荷を拡散することを含むことができる。例えば、ＭＣ−ＨＳＤＰＡ（例えば、８Ｃ−ＨＳＤＰＡ）に関する増やされたフィードバック情報および／または制御情報を、複数のＨＳ−ＤＰＣＣＨの間で拡散することができる。残念ながら、増やされた量のフィードバック情報および／または制御情報に関連する負荷を拡散するための複数のＨＳ−ＤＰＣＣＨの使用は、ＵＥ送信チャネル構成に基づく可能性があり、
CM=CEIL{[20*log10((v_norm3)rms)-20*log10((v_norm_ref3)rms)]/k,0.5}
によって定義することのできる、より大きいもしくは増やされたＣＭ（キュービックメトリック）、および／または減らされたカバレッジエリアをもたらす可能性がある。
【００１１】
本明細書で開示される別の方法および／または技法は、送信されかつ／またはシグナリングされるフィードバック情報および／または制御情報の量を減らすためにＭＣ−ＨＳＤＰＡ内のまたはこれに関連するキャリアのうちの１つまたは複数をペアリングし、かつ／またはバンドルすることを含むことができる。例えば、複数のダウンリンクキャリアを、対にするかバンドルし、一緒にマッピングして、単一のＴｒＢｌｋ（トランスポートブロック）に関連するキャリアの対のフィードバック情報および／または制御情報を減らせる（例えば、フィードバック情報および／もしくは制御情報の量、フィードバック情報および／もしくは制御情報に関連する負荷、並びに／またはスケジューリング利得を減らせる）ように、単一のＴｒＢｌｋを搬送することができる。さらに、例えば１２８のＳＦなどのより大きいＳＦを有するＨＳ−ＤＰＣＣＨを使用して、トランスポート電力を、無線通信システム内でＵＥによって現在使用されている送信電力と同一またはこれに類似するものとすることができ、従って、上述したように増やさないものとすることができるように、そのような情報をシグナリングし、かつ／またはフィードバックすることができる。例えば、複数のキャリアを一緒にペアリングし、かつ／またはバンドルし、フィードバック情報および／または制御情報の量を減らすことによって、ＨＳＤＰＡに関する４つのダウンリンクキャリアを実施できる無線通信システム（すなわち、４Ｃ−ＨＳＤＰＡ）に含まれる、１２８のＳＦなどのより大きいＳＦを有するＨＳ−ＤＰＣＣＨを、ＨＳＤＰＡに使用されるダウンリンクキャリアの個数を例えば８つのダウンリンクキャリア（すなわち、８Ｃ−ＨＤＳＰＡ）に増やすことができるときに再利用することができ、従って、ＵＥによって使用される送信電力を、ダウンリンクキャリアの個数が増えることにかかわりなく、類似するものにすることができる。
【００１２】
ＭＣ−ＨＳＤＰＡでの複数のキャリアのペアリングおよび／またはバンドリングと一緒に、データ変調に関するＨＳ−ＳＣＣＨ並びに／またはセカンダリサービングＨＳ−ＤＳＣＨセルおよびセカンダリアップリンク周波数のアクティブ化並びに／または非アクティブ化に関するＨＳ−ＳＣＣＨオーダーなどのＤＬ（ダウンリンク）制御シグナリングをも、再設計しまたは最適化して、本明細書で開示されるシステムおよび／または方法を使用して効率をさらに改善し、オーバーヘッドを減らすことができる。さらに、ＵＬ  ＣＬＴＤおよびＵＬ  ＭＩＭＯのアクティブ化および／または非アクティブ化に関するＨＳ−ＳＣＣＨオーダーをも最適化して、本明細書で開示されるシステムおよび方法を使用して効率をさらに改善し、オーバーヘッドを減らすことができる。
【００１３】
図１Ａは、ＭＣ−ＨＳＤＰＡ（multi-carrier HSDPA）でフィードバック情報および／もしくは制御情報とシグナリングとを管理し、かつ／またはＵＬ  ＣＬＴＤ（uplink closed-loop transmit diversity）、ＵＬ  ＭＩＭＯ、またはＭＣ−ＨＳＤＰＡで使用されるキャリアをサポートするのに使用することができるセカンダリセルのアクティブ化および／もしくは非アクティブ化に関するＨＳ−ＳＣＣＨオーダーなどのチャネルオーダーを提供する、１つまたは複数の開示される実施形態を実施できる例示的な通信システム１００のブロック図である。通信システム１００を、音声、データ、ビデオ、メッセージング、ブロードキャストなどのコンテンツを複数の無線ユーザに提供する多元接続システムとすることができる。通信システム１００は、複数の無線ユーザが、無線帯域幅を含むシステムリソースの共有を介してそのようなコンテンツにアクセスすることを可能にすることができる。例えば、通信システム１００は、ＣＤＭＡ（符号分割多元接続）、ＴＤＭＡ（時分割多元接続）、ＦＤＭＡ（周波数分割多元接続）、ＯＦＤＭＡ（直交ＦＤＭＡ）、およびＳＣ−ＦＤＭＡ（単一キャリアＦＤＭＡ）などの１つまたは複数のチャネルアクセス方法を使用することができる。
【００１４】
図１Ａに示されているように、通信システム１００は、ＷＴＲＵ（wireless transmit/receive unit）１０２ａ、１０２ｂ、１０２ｃ、１０２ｄ、ＲＡＮ（無線アクセスネットワーク）１０４、コアネットワーク１０６、ＰＳＴＮ（公衆交換電話網）１０８、インターネット１１０、および他のネットワーク１１２を含むことができるが、開示される実施形態が、任意の個数のＷＴＲＵ、基地局、ネットワーク、および／またはネットワーク要素を企図することを了解されたい。ＷＴＲＵ１０２ａ、１０２ｂ、１０２ｃ、１０２ｄのそれぞれを、無線環境内で動作し、かつ／または通信するように構成された任意のタイプのデバイスとすることができる。例えば、ＷＴＲＵ１０２ａ、１０２ｂ、１０２ｃ、１０２ｄを、無線信号を送信し、かつ／または受信するように構成することができ、ＷＴＲＵ１０２ａ、１０２ｂ、１０２ｃ、１０２ｄは、ＵＥ（ユーザ機器）、移動局、固定のまたは可動の加入者ユニット、ページャ、セルラ電話機、ＰＤＡ（携帯情報端末）、スマートホン、ラップトップ機、ネットブック、パーソナルコンピュータ、無線センサ、および消費者エレクトロニクスなどを含むことができる。
【００１５】
通信システム１００は、基地局１１４ａおよび基地局１１４ｂをも含むことができる。基地局１１４ａ、１１４ｂのそれぞれは、コアネットワーク１０６、インターネット１１０、および／またはネットワーク１１２などの１つまたは複数の通信ネットワークへのアクセスを容易にするためにＷＴＲＵ１０２ａ、１０２ｂ、１０２ｃ、１０２ｄのうちの少なくとも１つとワイヤレスでインターフェースするように構成された任意のタイプのデバイスとすることができる。例えば、基地局１１４ａ、１１４ｂを、ＢＴＳ（base transeceiver station）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、ＡＰ（access point）、および無線ルータなどとすることができる。基地局１１４ａ、１１４ｂは、それぞれ単一の要素として図示されているが、基地局１１４ａ、１１４ｂが、任意の個数の相互接続された基地局および／またはネットワーク要素を含むことができることを了解されたい。
【００１６】
基地局１１４ａを、ＲＡＮ１０４の一部とすることができ、ＲＡＮ１０４は、他の基地局および／またはＢＳＣ（base station controller）、ＲＮＣ（radio network controller）、中継ノードなどのネットワーク要素（図示せず）を含むこともできる。基地局１１４ａおよび／または基地局１１４ｂを、セル（図示せず）と称する場合もある特定の地理的領域内で無線信号を送信し、かつ／または受信するように構成することができる。セルを、さらに、セルセクタに分割することができる。例えば、基地局１１４ａに関連するセルを、３つのセクタに分割することができる。従って、一実施形態では、基地局１１４ａは、３つのトランシーバすなわち、セルのセクタごとに１つのトランシーバを含むことができる。別の実施形態では、基地局１１４ａは、ＭＩＭＯ技術を使用することができ、従って、セルのセクタごとに複数のトランシーバを利用することができる。
【００１７】
基地局１１４ａ、１１４ｂは、エアインターフェース１１６を介してＷＴＲＵ１０２ａ、１０２ｂ、１０２ｃ、１０２ｄのうちの１つまたは複数と通信することができ、エアインターフェース１１６は、任意の適切な無線通信リンク（例えば、ＲＦ（radio frequency）、マイクロ波、ＩＲ（infrared）、ＵＶ（ultraviolet）、可視光、その他）とすることができる。エアインターフェース１１６を、任意の適切なＲＡＴ（radio access technology）を使用して確立することができる。
【００１８】
具体的には、上記したように、通信システム１００は、多元接続システムとすることができ、ＣＤＭＡ、ＴＤＭＡ、ＦＤＭＡ、ＯＦＤＭＡ、およびＳＣ−ＦＤＭＡなど、１つまたは複数のチャネルアクセス方式を使用することができる。例えば、ＲＡＮ１０４内の基地局１１４ａおよびＷＴＲＵ１０２ａ、１０２ｂ、１０２ｃは、ＵＴＲＡ（UMTS(Universal Mobile Telecommunications System)Terrestrial Radio Access）などの無線技術を実施することができ、ＵＴＲＡは、Ｗ−ＣＤＭＡ（広帯域ＣＤＭＡ）を使用してエアインターフェース１１６を確立することができる。Ｗ−ＣＤＭＡは、ＨＳＰＡおよび／またはＨＳＰＡ＋（Evolved HSPA）などの通信プロトコルを含むことができる。ＨＳＰＡは、ＨＳＤＰＡおよび／またはＨＳＵＰＡを含むことができる。
【００１９】
別の実施形態では、基地局１１４ａおよびＷＴＲＵ１０２ａ、１０２ｂ、１０２ｃは、Ｅ−ＵＴＲＡ（Evolved UMTS Terrestrial Radio Access）などの無線技術を実施することができ、Ｅ−ＵＴＲＡは、ＬＴＥ（Long Term Evolution）および／またはＬＴＥ−Ａ（LTE-Advanced）を使用してエアインターフェース１１６を確立することができる。
【００２０】
他の実施形態では、基地局１１４ａおよびＷＴＲＵ１０２ａ、１０２ｂ、１０２ｃは、ＩＥＥＥ８０２．１６（すなわち、ＷｉＭＡＸ）、ＣＤＭＡ２０００、ＣＤＭＡ２０００  １Ｘ、ＣＤＭＡ２０００ＥＶ−ＤＯ、ＩＳ−２０００（Interim Standard 2000）、ＩＳ−９５（Interim Standard 95）、ＩＳ−８５６（Interim Standard 856）、ＧＳＭ（登録商標）（Global System for Mobile communications）、ＥＤＧＥ（Enhanced Data rates for GSM Evolution）、およびＧＥＲＡＮ（ＧＳＭ  ＥＤＧＥ）などの無線技術を実施することができる。
【００２１】
図１Ａの基地局１１４ｂは、例えば、無線ルータ、Ｈｏｍｅ  Ｎｏｄｅ  Ｂ、Ｈｏｍｅ  ｅＮｏｄｅ  Ｂ、またはアクセスポイントとすることができ、仕事場、家庭、車両、およびキャンパスなど、局所化された区域内での無線接続性を容易にするために任意の適切なＲＡＴを利用することができる。一実施形態では、基地局１１４ｂおよびＷＴＲＵ１０２ｃ、１０２ｄは、ＷＬＡＮ（wireless local area network）を確立するためにＩＥＥＥ８０２．１１などの無線技術を実施することができる。別の実施形態では、基地局１１４ｂおよびＷＴＲＵ１０２ｃ、１０２ｄは、ＷＰＡＮ（wireless personal area network）を確立するためにＩＥＥＥ８０２．１５などの無線技術を実施することができる。別の実施形態では、基地局１１４ｂおよびＷＴＲＵ１０２ｃ、１０２ｄは、ピコセルまたはフェムトセルを確立するためにセルラベースのＲＡＴ（例えば、Ｗ−ＣＤＭＡ、ＣＤＭＡ２０００、ＧＳＭ、ＬＴＥ、ＬＴＥ−Ａ、その他）を利用することができる。図１Ａに示されているように、基地局１１４ｂは、インターネット１１０への直接接続を有することができる。従って、基地局１１４ｂは、コアネットワーク１０６を介してインターネット１１０にアクセスすることを要求されないものとすることができる。
【００２２】
ＲＡＮ１０４は、コアネットワーク１０６と通信しているものとすることができ、コアネットワーク１０６は、音声、データ、アプリケーション、および／またはＶｏＩＰ（voice over internet protocol）のサービスをＷＴＲＵ１０２ａ、１０２ｂ、１０２ｃ、１０２ｄのうちの１つまたは複数に提供するように構成された任意のタイプのネットワークとすることができる。例えば、コアネットワーク１０６は、呼制御、請求サービス、モバイル位置情報サービス、前払い呼、インターネット接続性、ビデオ分配などを提供し、かつ／またはユーザ認証などの高レベルセキュリティ機能を実行することができる。図１Ａには図示されていないが、ＲＡＮ１０４および／またはコアネットワーク１０６が、ＲＡＮ１０４と同一のＲＡＴまたは異なるＲＡＴを使用する他のＲＡＮと直接にまたは間接に通信していることができることを了解されたい。例えば、Ｅ−ＵＴＲＡ無線技術を利用している可能性があるＲＡＮ１０４に接続されることに加えて、コアネットワーク１０６は、ＧＳＭ無線技術を利用している別のＲＡＮ（図示せず）と通信していることもできる。
【００２３】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働くこともできる。ＰＳＴＮ１０８は、ＰＯＴＳ（plain old telephone service）を提供する回線交換電話網を含むことができる。インターネット１１０は、ＴＣＰ／ＩＰスイート内のＴＣＰ、ＵＤＰおよびＩＰなどの共通の通信プロトコルを使用する相互接続されたコンピュータネットワークおよびデバイスの全世界のシステムを含むことができる。ネットワーク１１２は、他のサービスプロバイダによって所有され、かつ／または運営される有線のまたは無線の通信ネットワークを含むことができる。例えば、ネットワーク１１２は、ＲＡＮ１０４と同一のＲＡＴまたは異なるＲＡＴを使用することができる１つまたは複数のＲＡＮに接続された別のコアネットワークを含むことができる。
【００２４】
通信システム１００内のＷＴＲＵ１０２ａ、１０２ｂ、１０２ｃ、１０２ｄの一部または全ては、マルチモード能力を含むことができる、すなわち、ＷＴＲＵ１０２ａ、１０２ｂ、１０２ｃ、１０２ｄは、異なる無線リンクを介して異なる無線ネットワークと通信する複数のトランシーバを含むことができる。例えば、図１Ａに示されたＷＴＲＵ１０２ｃを、セルラベースの無線技術を使用することができる基地局１１４ａおよびＩＥＥＥ８０２無線技術を使用することができる基地局１１４ｂと通信するように構成することができる。
【００２５】
図１Ｂは、例示的なＷＴＲＵ１０２のシステム図である。図１ＢのＷＴＲＵ１０２を、ＭＣ−ＨＳＤＰＡ（multi-carrier HSDPA）でフィードバック情報および／もしくは制御情報とシグナリングとを管理し、かつ／またはＵＬ  ＣＬＴＤ、ＵＬ  ＭＩＭＯ、またはＭＣ−ＨＳＤＰＡで使用されるキャリアをサポートするのに使用することができるセカンダリセルのアクティブ化および／もしくは非アクティブ化に関するＨＳ−ＳＣＣＨオーダーなどのチャネルオーダーを提供する、１つまたは複数の開示される実施形態で使用することができる。図１Ｂに示されているように、ＷＴＲＵ１０２は、プロセッサ１１８、トランシーバ１２０、送受信要素１２２、スピーカ／マイクロホン１２４、キーパッド１２６、ディスプレイ／タッチパッド１２８、非リムーバブルメモリ１３０、リムーバブルメモリ１３２、電源１３４、ＧＰＳチップセット１３６、および他の周辺機器１３８を含むことができる。ＷＴＲＵ１０２が、実施形態と一貫したままでありながら前述の要素の任意の副組合せを含むことができることを了解されたい。
【００２６】
プロセッサ１１８を、汎用プロセッサ、特殊目的プロセッサ、従来のプロセッサ、ＤＳＰ（digital signal processor）、複数のマイクロプロセッサ、ＤＳＰコアに関連する１つもしくは複数のマイクロプロセッサ、コントローラ、マイクロコントローラ、ＡＳＩＣ、ＦＰＧＡ回路、任意の他のタイプのＩＣ（集積回路）および状態機械などとすることができる。プロセッサ１１８は、信号符号化、データ処理、電力制御、入出力処理、および／またはＷＴＲＵ１０２が無線環境内で動作することを可能にする任意の他の機能性を実行することができる。プロセッサ１１８を、トランシーバ１２０に結合することができ、トランシーバ１２０を、送受信要素１２２に結合することができる。図１Ｂは、別々のコンポーネントとしてプロセッサ１１８およびトランシーバ１２０を示すが、プロセッサ１１８およびトランシーバ１２０を、電子パッケージまたはチップ内に一緒に一体化することができることを了解されたい。
【００２７】
エアインターフェース１１６を介して基地局（例えば、基地局１１４ａ）へ信号を送信しまたはこれから信号を受信するように、送受信要素１２２を構成することができる。例えば、一実施形態では、送受信要素１２２を、ＲＦ信号を送信し、かつ／または受信するように構成されたアンテナとすることができる。別の実施形態では、送受信要素１２２を、例えばＩＲ、ＵＶ、または可視光信号を送信し、かつ／または受信するように構成されたエミッタ／検出器とすることができる。別の実施形態では、送受信要素１２２を、ＲＦ信号と光信号との両方を送信し、受信するように構成することができる。送受信要素１２２を、無線信号の任意の組合せを送信し、かつ／または受信するように構成することができることを了解されたい。
【００２８】
さらに、送受信要素１２２は、図１Ｂでは単一の要素として図示されているが、ＷＴＲＵ１０２は、任意の個数の送受信要素１２２を含むことができる。より具体的には、ＷＴＲＵ１０２は、ＭＩＭＯ技術を使用することができる。従って、一実施形態では、ＷＴＲＵ１０２は、エアインターフェース１１６を介して無線信号を送信し、受信する複数の送受信要素１２２（例えば、複数のアンテナ）を含むことができる。
【００２９】
送受信要素１２２によって送信される信号を変調し、送受信要素１２２によって受信される信号を復調するように、トランシーバ１２０を構成することができる。上記したように、ＷＴＲＵ１０２は、マルチモード能力を有することができる。従って、トランシーバ１２０は、ＷＴＲＵ１０２が例えばＵＴＲＡおよびＩＥＥＥ８０２．１１などの複数のＲＡＴを介して通信することを可能にする複数のトランシーバを含むことができる。
【００３０】
ＷＴＲＵ１０２のプロセッサ１１８は、スピーカ／マイクロホン１２４、キーパッド１２６、および／またはディスプレイ／タッチパッド１２８（例えば、ＬＣＤ（液晶ディスプレイ）表示ユニットまたはＯＬＥＤ（有機発光ダイオード）表示ユニット）に結合され、これらからユーザ入力データを受け取ることができる。プロセッサ１１８は、ユーザデータをスピーカ／マイクロホン１２４、キーパッド１２６、および／またはディスプレイ／タッチパッド１２８に出力することもできる。さらに、プロセッサ１１８は、非リムーバブルメモリ１３０および／またはリムーバブルメモリ１３２などの任意のタイプの適切なメモリからの情報にアクセスし、そのメモリにデータを格納することができる。非リムーバブルメモリ１３０は、ＲＡＭ、ＲＯＭ、ハードディスク、または任意の他のタイプのメモリストレージデバイスを含むことができる。リムーバブルメモリ１３２は、ＳＩＭカード、メモリスティック、およびＳＤ（secure digital）メモリカードなどを含むことができる。他の実施形態では、プロセッサ１１８は、サーバ上またはホームコンピュータ（図示せず）上など、ＷＴＲＵ１０２上に物理的に配置されていないメモリからの情報にアクセスし、そのメモリにデータを格納することができる。
【００３１】
プロセッサ１１８は、電源１３４から電力を受け取ることができ、ＷＴＲＵ１０２内の他のコンポーネントに電力を分配し、かつ／または制御するように構成することができる。電源１３４は、ＷＴＲＵ１０２に電力を供給する任意の適切なデバイスとすることができる。例えば、電源１３４は、１つまたは複数の乾電池（例えば、ＮｉＣｄ（ニッケルカドミウム）、ＮｉＺｎ（ニッケル亜鉛）、ＮｉＭＨ（ニッケル水素）、Ｌｉ−ｉｏｎ（リチウムイオン）、その他）、太陽電池、および燃料電池などを含むことができる。
【００３２】
プロセッサ１１８を、ＧＰＳチップセット１３６に結合することもでき、ＧＰＳチップセット１３６を、ＷＴＲＵ１０２の現在位置に関する位置情報（例えば、経度および緯度）を提供するように構成することができる。ＧＰＳチップセット１３６からの情報に加えてまたはその代わりに、ＷＴＲＵ１０２は、基地局（例えば、基地局１１４ａ、１１４ｂ）からエアインターフェース１１６を介して位置情報を受信し、かつ／または複数の近くの基地局から受信されつつある信号のタイミングに基づいてその位置を判定することができる。ＷＴＲＵ１０２が、実施形態と一貫したままでありながら任意の適切な位置判定方法によって位置情報を獲得できることを了解されたい。
【００３３】
プロセッサ１１８を、他の周辺機器１３８にさらに結合することができ、他の周辺機器１３８は、追加の特徴、機能性および／または有線のもしくは無線の接続性を提供する１つまたは複数のソフトウェアモジュールおよび／またはハードウェアモジュールを含むことができる。例えば、周辺機器１３８は、加速度計、ｅコンパス、衛星トランシーバ、デジタルカメラ（写真またはビデオ用）、ＵＳＢポート、振動デバイス、テレビジョントランシーバ、ハンズフリーヘッドセット、Ｂｌｕｅｔｏｏｔｈ（登録商標）モジュール、ＦＭ（frequency modulated）無線装置、デジタル音楽プレイヤ、メディアプレイヤ、ビデオゲームプレイヤモジュールおよびインターネットブラウザなどを含むことができる。
【００３４】
図１Ｃは、一実施形態によるＲＡＮ１０４およびコアネットワーク１０６のシステム図である。図１Ｃに示されたＲＡＮ１０４およびコアネットワーク１０６を、ＭＣ−ＨＳＤＰＡでフィードバック情報および／もしくは制御情報とシグナリングとを管理し、かつ／またはＵＬ  ＣＬＴＤ、ＵＬ  ＭＩＭＯ、またはＭＣ−ＨＳＤＰＡで使用されるキャリアをサポートするのに使用することができるセカンダリセルのアクティブ化および／もしくは非アクティブ化に関するＨＳ−ＳＣＣＨオーダーなどのチャネルオーダーを提供する、１つまたは複数の実施形態で使用することができる。上記したように、ＲＡＮ１０４は、エアインターフェース１１６を介してＷＴＲＵ１０２ａ、１０２ｂ、１０２ｃと通信するのにＵＴＲＡ無線技術を使用することができる。ＲＡＮ１０４は、コアネットワーク１０６と通信していることもできる。図１Ｃに示されているように、ＲＡＮ１０４は、Ｎｏｄｅ−Ｂ１４０ａ、１４０ｂ、１４０ｃを含むことができ、このＮｏｄｅ−Ｂ１４０ａ、１４０ｂ、１４０ｃは、それぞれ、エアインターフェース１１６を介してＷＴＲＵ１０２ａ、１０２ｂ、１０２ｃと通信する１つまたは複数のトランシーバを含むことができる。Ｎｏｄｅ−Ｂ１４０ａ、１４０ｂ、１４０ｃのそれぞれを、ＲＡＮ１０４内の特定のセル（図示せず）に関連付けることができる。ＲＡＮ１０４は、ＲＮＣ１４２ａ、１４２ｂをも含むことができる。ＲＡＮ１０４が、実施形態と一貫したままでありながら任意の個数のＮｏｄｅ−ＢおよびＲＮＣを含むことができることを了解されたい。
【００３５】
図１Ｃに示されているように、Ｎｏｄｅ−Ｂ１４０ａ、１４０ｂは、ＲＮＣ１４２ａと通信しているものとすることができる。さらに、Ｎｏｄｅ−Ｂ１４０ｃは、ＲＮＣ１４２ｂと通信しているものとすることができる。Ｎｏｄｅ−Ｂ１４０ａ、１４０ｂ、１４０ｃは、Ｉｕｂインターフェースを介してそれぞれのＲＮＣ１４２ａ、１４２ｂと通信することができる。ＲＮＣ１４２ａ、１４２ｂは、Ｉｕｒインターフェースを介してお互いと通信していることができる。ＲＮＣ１４２ａ、１４２ｂのそれぞれは、それが接続されるそれぞれのＮｏｄｅ−Ｂ１４０ａ、１４０ｂ、１４０ｃを制御するように構成され得る。さらに、ＲＮＣ１４２ａ、１４２ｂのそれぞれは、アウターループ電力制御、負荷制御、アドミッション制御、パケットスケジューリング、ハンドオーバ制御、マクロダイバーシティ、セキュリティ機能、およびデータ暗号化などの他の機能性を実行しまたはサポートするように構成され得る。
【００３６】
図１Ｃに示されたコアネットワーク１０６は、ＭＧＷ（media gateway）１４４、ＭＳＣ（mobile switching center）１４６、ＳＧＳＮ（serving GPRS support node）１４８、および／またはＧＧＳＮ（gateway GPRS support node）１５０を含むことができる。前述の要素のそれぞれが、コアネットワーク１０６の一部として図示されているが、これらの要素の任意の１つが、コアネットワークオペレータ以外のエンティティによって所有され、かつ／または運営される場合があることを了解されたい。
【００３７】
ＲＡＮ１０４内のＲＮＣ１４２ａを、ＩｕＣＳインターフェースを介してコアネットワーク１０６内のＭＳＣ１４６に接続することができる。ＭＳＣ１４６を、ＭＧＷ１４４に接続することができる。ＭＳＣ１４６およびＭＧＷ１４４は、ＷＴＲＵ１０２ａ、１０２ｂ、１０２ｃと伝統的な陸線通信デバイスとの間の通信を容易にするために、ＰＳＴＮ１０８などの回線交換ネットワークへのアクセスをＷＴＲＵ１０２ａ、１０２ｂ、１０２ｃに与えることができる。
【００３８】
ＲＡＮ１０４内のＲＮＣ１４２ａを、ＩｕＰＳインターフェースを介してコアネットワーク１０６内のＳＧＳＮ１４８に接続することもできる。ＳＧＳＮ１４８を、ＧＧＳＮ１５０に接続することができる。ＳＧＳＮ１４８およびＧＧＳＮ１５０は、ＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃに与えることができる。
【００３９】
上記したように、コアネットワーク１０６を、ネットワーク１１２に接続することもでき、ネットワーク１１２は、他のサービスプロバイダによって所有され、かつ／または運営される他の有線ネットワークまたは無線ネットワークを含むことができる。
【００４０】
図１Ｄは、一実施形態によるＲＡＮ１０４およびコアネットワーク１０６のシステム図である。図１Ｄに示されたＲＡＮ１０４およびコアネットワーク１０６を、ＭＣ−ＨＳＤＰＡでフィードバック情報および／もしくは制御情報とシグナリングとを管理し、かつ／またはＵＬ  ＣＬＴＤ、ＵＬ  ＭＩＭＯ、またはＭＣ−ＨＳＤＰＡで使用されるキャリアをサポートするのに使用することができるセカンダリセルのアクティブ化および／もしくは非アクティブ化に関するＨＳ−ＳＣＣＨオーダーなどのチャネルオーダーを提供する、１つまたは複数の実施形態で使用することもできる。上記したように、ＲＡＮ１０４は、エアインターフェース１１６を介してＷＴＲＵ１０２ａ、１０２ｂ、１０２ｃと通信するのにＥ−ＵＴＲＡ無線技術を使用することができる。ＲＡＮ１０４は、コアネットワーク１０６と通信していることもできる。
【００４１】
ＲＡＮ１０４は、ｅＮｏｄｅ−Ｂ１４０ａ、１４０ｂ、１４０ｃを含むことができるが、ＲＡＮ１０４が、実施形態と一貫したままでありながら任意の個数のｅＮｏｄｅ−Ｂを含むことができることを了解されたい。ｅＮｏｄｅ−Ｂ１４０ａ、１４０ｂ、１４０ｃは、それぞれ、エアインターフェース１１６を介してＷＴＲＵ１０２ａ、１０２ｂ、１０２ｃと通信する１つまたは複数のトランシーバを含むことができる。一実施形態では、ｅＮｏｄｅ−Ｂ１４０ａ、１４０ｂ、１４０ｃは、ＭＩＭＯ技術を実施することができる。従って、例えば、ｅＮｏｄｅ−Ｂ１４０ａは、ＷＴＲＵ１０２ａに無線信号を送信し、これから無線信号を受信するのに複数のアンテナを使用することができる。
【００４２】
ｅＮｏｄｅ−Ｂ１４０ａ、１４０ｂ、１４０ｃのそれぞれを、特定のセル（図示せず）に関連付けることができ、無線リソース管理判断、ハンドオーバ判断、アップリンクおよび／またはダウンリンクでのユーザのスケジューリングなどを処理するように構成することができる。図１Ｄに示されているように、ｅＮｏｄｅ−Ｂ１４０ａ、１４０ｂ、１４０ｃは、Ｘ２インターフェースを介してお互いと通信することができる。
【００４３】
図１Ｄに示されたコアネットワーク１０６は、ＭＭＥ（mobility management gateway）１４２、サービングゲートウェイ１４４、およびＰＤＮ（packet data network）ゲートウェイ１４６を含むことができる。前述の要素のそれぞれが、コアネットワーク１０６の一部として図示されているが、これらの要素の任意の１つが、コアネットワークオペレータ以外のエンティティによって所有され、かつ／または運営される場合があることを了解されたい。
【００４４】
ＭＭＥ１４２は、Ｓ１インターフェースを介してＲＡＮ１０４内のｅＮｏｄｅ−Ｂ１４０ａ、１４０ｂ、１４０ｃのそれぞれに接続され、制御ノードとして働くことができる。例えば、ＭＭＥ１４２は、ＷＴＲＵ１０２ａ、１０２ｂ、１０２ｃのユーザの認証、およびベアラアクティブ化／非アクティブ化、ＷＴＲＵ１０２ａ、１０２ｂ、１０２ｃの初期アタッチ中の特定のサービングゲートウェイの選択等の責任を負うことができる。ＭＭＥ１４２は、ＲＡＮ１０４とＧＳＭまたはＷ−ＣＤＭＡ等の他の無線技術を使用する他のＲＡＮ（図示せず）との間で切り替えるための制御プレーン機能を提供することもできる。
【００４５】
サービングゲートウェイ１４４を、Ｓ１インターフェースを介してＲＡＮ１０４内のｅＮｏｄｅ−Ｂ１４０ａ、１４０ｂ、１４０ｃのそれぞれに接続することができる。サービングゲートウェイ１４４は、一般に、ＷＴＲＵ１０２ａ、１０２ｂ、１０２ｃへ／からユーザデータパケットをルーティングし、転送する。サービングゲートウェイ１４４は、ｅＮｏｄｅ  Ｂ間ハンドオーバ中のユーザプレーンのアンカリング、ダウンリンクデータがＷＴＲＵ１０２ａ、１０２ｂ、１０２ｃについて使用可能であるときのページングのトリガ、ＷＴＲＵ１０２ａ、１０２ｂ、１０２ｃのコンテキストの管理および格納など、他の機能を実行することもできる。
【００４６】
サービングゲートウェイ１４４を、ＰＤＮゲートウェイ１４６に接続することもでき、ＰＤＮゲートウェイ１４６は、ＷＴＲＵ１０２ａ、１０２ｂ、１０２ｃとＩＰ対応デバイスとの間の接続を容易にするために、インターネット１１０などのパケット交換ネットワークへのアクセスをＷＴＲＵ１０２ａ、１０２ｂ、１０２ｃに与えることができる。
【００４７】
コアネットワーク１０６は、他のネットワークとの通信を容易にすることができる。例えば、コアネットワーク１０６は、ＷＴＲＵ１０２ａ、１０２ｂ、１０２ｃと伝統的な陸線通信デバイスとの間の通信を容易にするために、ＰＳＴＮ１０８などの回線交換ネットワークへのアクセスをＷＴＲＵ１０２ａ、１０２ｂ、１０２ｃに与えることができる。例えば、コアネットワーク１０６は、コアネットワーク１０６とＰＳＴＮ１０８との間のインターフェースとして働くＩＰゲートウェイ（例えば、ＩＭＳ（IP multimedia subsystem）サーバ）を含むことができ、またはこれと通信することができる。さらに、コアネットワーク１０６は、他のサービスプロバイダによって所有され、かつ／または運営される他の有線のまたは無線のネットワークを含むことができるネットワーク１１２へのアクセスをＷＴＲＵ１０２ａ、１０２ｂ、１０２ｃに与えることができる。
【００４８】
図１Ｅは、一実施形態によるＲＡＮ１０４およびコアネットワーク１０６のシステム図である。図１Ｅに示されたＲＡＮ１０４およびコアネットワーク１０６を、ＭＣ−ＨＳＤＰＡでフィードバック情報および／もしくは制御情報とシグナリングとを管理し、かつ／またはＵＬ  ＣＬＴＤ、ＵＬ  ＭＩＭＯ、またはＭＣ−ＨＳＤＰＡで使用されるキャリアをサポートするのに使用することができるセカンダリセルのアクティブ化および／もしくは非アクティブ化に関するＨＳ−ＳＣＣＨオーダーなどのチャネルオーダーを提供する、１つまたは複数の実施形態で使用することができる。さらに、ＲＡＮ１０４は、エアインターフェース１１６を介してＷＴＲＵ１０２ａ、１０２ｂ、１０２ｃと通信するのにＩＥＥＥ８０２．１６無線技術を使用するＡＳＮ（access service network）とすることができる。以下でさらに議論するように、ＷＴＲＵ１０２ａ、１０２ｂ、１０２ｃ、ＲＡＮ１０４、およびコアネットワーク１０６の異なる機能エンティティの間の通信リンクを、参照ポイントと定義することができる。
【００４９】
図１Ｅに示されているように、ＲＡＮ１０４は、基地局１４０ａ、１４０ｂ、１４０ｃ、およびＡＳＮゲートウェイ１４２を含むことができるが、ＲＡＮ１０４が、実施形態と一貫したままでありながら任意の個数の基地局およびＡＳＮゲートウェイを含むことができることを了解されたい。基地局１４０ａ、１４０ｂ、１４０ｃを、それぞれ、ＲＡＮ１０４内の特定のセル（図示せず）に関連付けることができ、基地局１４０ａ、１４０ｂ、１４０ｃは、それぞれ、エアインターフェース１１６を介してＷＴＲＵ１０２ａ、１０２ｂ、１０２ｃと通信するために１つまたは複数のトランシーバを含むことができる。一実施形態では、基地局１４０ａ、１４０ｂ、１４０ｃは、ＭＩＭＯ技術を実施することができる。従って、例えば、基地局１４０ａは、ＷＴＲＵ１０２ａに無線信号を送信し、ＷＴＲＵ１０２ａから無線信号を受信するのに複数のアンテナを使用することができる。基地局１４０ａ、１４０ｂ、１４０ｃは、ハンドオフトリガ、トンネル確立、無線リソース管理、トラフィック分類、およびＱｏＳポリシ実施などのモビリティ管理機能を提供することもできる。ＡＳＮゲートウェイ１４２は、トラフィックアグリゲーションポイントとして働くことができ、ページング、加入者プロファイルのキャッシング、およびコアネットワーク１０６へのルーティングなどの責任を負うことができる。
【００５０】
ＷＴＲＵ１０２ａ、１０２ｂ、１０２ｃとＲＡＮ１０４との間のエアインターフェース１１６は、ＩＥＥＥ８０２．１６規格を実施するＲ１参照ポイントと定義することができる。さらに、ＷＴＲＵ１０２ａ、１０２ｂ、１０２ｃのそれぞれは、コアネットワーク１０６との論理インターフェース（図示せず）を確立することができる。ＷＴＲＵ１０２ａ、１０２ｂ、１０２ｃとコアネットワーク１０６との間の論理インターフェースは、認証、認可、ＩＰホスト構成管理、および／またはモビリティ管理に使用することができるＲ２参照ポイントと定義することができる。
【００５１】
基地局１４０ａ、１４０ｂ、１４０ｃのそれぞれの間の通信リンクは、ＷＴＲＵハンドオーバおよび基地局の間のデータの転送を容易にするプロトコルを含むＲ８参照ポイントと定義することができる。基地局１４０ａ、１４０ｂ、１４０ｃとＡＳＮゲートウェイ２１５との間の通信リンクを、Ｒ６参照ポイントと定義することができる。Ｒ６参照ポイントは、ＷＴＲＵ１０２ａ、１０２ｂ、１００ｃのそれぞれに関連するモビリティイベントに基づくモビリティ管理を容易にするプロトコルを含むことができる。
【００５２】
図１Ｅに示されているように、ＲＡＮ１０４を、コアネットワーク１０６に接続することができる。ＲＡＮ１０４とコアネットワーク１０６との間の通信リンクを、例えばデータ転送およびモビリティ管理能力を容易にするプロトコルを含むＲ３参照ポイントと定義することができる。コアネットワーク１０６は、ＭＩＰ−ＨＡ（mobile IP home agent）１４４、ＡＡＡ（authentication, authorization, accounting）サーバ１４６、およびゲートウェイ１４８を含むことができる。前述の要素のそれぞれは、コアネットワーク１０６の一部として図示されているが、これらの要素のいずれをも、コアネットワークオペレータ以外のエンティティが所有し、かつ／または運営することができることを了解されたい。
【００５３】
ＭＩＰ−ＨＡは、ＩＰアドレス管理の責任を負うことができ、ＷＴＲＵ１０２ａ、１０２ｂ、１０２ｃが異なるＡＳＮおよび／または異なるコアネットワークの間でローミングすることを可能にすることができる。ＭＩＰ−ＨＡ１４４は、ＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃに与えることができる。ＡＡＡサーバ１４６は、ユーザ認証の責任およびユーザサービスをサポートする責任を負うことができる。ゲートウェイ１４８は、他のネットワークとのインターワーキングを容易にすることができる。例えば、ゲートウェイ１４８は、ＷＴＲＵ１０２ａ、１０２ｂ、１０２ｃと伝統的な陸線通信デバイスとの間の通信を容易にするために、ＰＳＴＮ１０８などの回線交換ネットワークへのアクセスをＷＴＲＵ１０２ａ、１０２ｂ、１０２ｃに与えることができる。さらに、ゲートウェイ１４８は、他のサービスプロバイダによって所有され、かつ／または運営される他の有線のまたは無線のネットワークを含むことができるネットワーク１１２へのアクセスをＷＴＲＵ１０２ａ、１０２ｂ、１０２ｃに与えることができる。
【００５４】
図１Ｅには示されていないが、ＲＡＮ１０４を他のＡＳＮに接続することができ、コアネットワーク１０６を他のコアネットワークに接続することができることを了解されたい。ＲＡＮ１０４と他のＡＳＮ間の通信リンクを、ＲＡＮ１０４と他のＡＳＮとの間でＷＴＲＵ１０２ａ、１０２ｂ、１０２ｃのモビリティをコーディネートするプロトコルを含むことができるＲ４参照ポイントと定義することができる。コアネットワーク１０６と他のコアネットワークとの間の通信リンクを、ホームコアネットワークと訪問されたコアネットワークとの間のインターワーキングを容易にするプロトコルを含むことができるＲ５参照ポイントと定義することができる。
【００５５】
上述したように、ＭＣ−ＨＳＤＰＡでは、ダウンリンクキャリアなど、キャリアのうちの１つまたは複数を一緒にバンドルするかペアリングして、シグナリングオーバーヘッドを減らし、現在使用可能なＨＳ−ＤＰＣＣＨフォーマットおよびＨＳ−ＳＣＣＨオーダーの使用を可能にすることができる。
【００５６】
図２に、ＭＣ−ＨＳＤＰＡでのキャリアのペアリングおよび／またはバンドリングの例示的な実施形態の流れ図を示す。例えば、図２に示されているように、Ｍ個のキャリアを、２０５で受信し、２１０でＮ個のエンティティにバンドルしまたはペアリングすることができる。一実施形態によれば、Ｎを、Ｍ以下の非ゼロ値とすることができる。例えば、一実施形態では、例えばＵＬ  ＨＳ−ＤＰＣＣＨフィードバック負荷およびＤＬ  ＨＳ−ＳＣＣＨ／ＨＳ−ＳＣＣＨオーダーを含むＵＬ／ＤＬ制御シグナリングオーバーヘッドを減らすことができ、４Ｃ−ＨＳＤＰＡなどの現在使用可能なフォーマットを再利用することができるように、８Ｃ−ＨＳＤＰＡの８つのダウンリンクキャリアを一緒に４つのエンティティにバンドルし、かつ／またはペアリングすることができる。バンドリングまたはペアリングを示す制御情報を、（例えば、２１０でキャリアをバンドルまたはペアリングするときに）生成することもできる。ダウンリンクキャリアをバンドルしまたはペアリングした（例えば図２に示されているように）後に、バンドリングまたはペアリングを示す制御情報を、２１５で（例えば、以下で詳述するようにＵＥに）送信することができる。さらに、制御シグナリングを既存の制御シグナリング設計（例えば、Ｒ１０などの以前の標準リリースからの）にマッピングできるように、各エンティティの制御シグナリング（例えば、制御情報を含む）を、制御を個々のキャリアとすることができるかのように扱うことができる。
【００５７】
様々な方法またはバンドル判断基準を使用して、図２に示され、本明細書で説明されるように、ＭＣ−ＨＳＤＰＡでＭ個のキャリアをＮ個のキャリアにペアリングしまたはバンドルすることができる（例えば、Ｎ個のエンティティへのキャリアペアリングまたはキャリアバンドリングを実施するために）。例えば、Ｍ個のＤＬキャリアを、ある周波数帯内で構成されたＤＬキャリアを一緒にバンドルしまたはペアリングすることによって、かつ／またはＭＩＭＯ構成を有する（例えば、ＭＩＭＯ対応の）ＤＬキャリアを一緒にバンドルしまたはペアリングし、ＭＩＭＯ構成を有しない（例えば、ＭＩＭＯ非対応の）残りのキャリアを一緒にバンドルしまたはペアリングすることによって、バンドルしまたはペアリングすることができる。
【００５８】
別の実施形態によれば、Ｍ個のＤＬキャリアを、上述したＷＴＲＵ１０２ａ〜ｄなどのＵＥがサポートできるＴｒＢｌｋ（Transport Block）の個数、サービング／セカンダリサービングＨＳ−ＤＳＣＨセルの総数、および／またはＭＩＭＯを使用するように構成でき、例えばＵＥによって定義できるサービング／セカンダリサービングＨＳ−ＤＳＣＨセルの総数に基づいて、バンドルしまたはペアリングすることができる。
【００５９】
図３に、本明細書で開示される１つまたは複数の方法を用いてバンドルされまたはペアリングされたダウンリンクキャリアを用いる８Ｃ−ＨＳＤＰＡの例示的な実施形態の図を示す。例えば、ＷＴＲＵ１０２ａ〜ｄなどのＵＥは、５個までのＴｒＢｌｋをサポートすることができ、８個のサービング／セカンダリサービングＨＳ−ＤＳＣＨセルを用いて構成され得、そのうちの２つをＭＩＭＯを用いて構成することができる。図３に示されているように、一実施形態では、全ての２つのキャリアを、一緒にバンドルし、かつ／またはペアリングすることができる。例えば、一実施形態では、図３の各ＴｒＢｌｋは、ペアリングされたキャリア１、２、および４にまたがることができ、２つのＴｒＢｌｋは、ＭＩＭＯを用いて構成されたペアリングされたキャリア３にまたがることができる。
【００６０】
さらに、ＤＬキャリアを、キャリアアクティブ化／非アクティブ化に使用可能なＨＳ−ＳＣＣＨオーダービットに基づいてまたはこれに依存してバンドルしまたはペアリングすることができる。例えば、バンドルされまたはペアリングされたＤＬキャリアを、１つまたは複数のＨＳ−ＳＣＣＨオーダーによって１グループとして（例えば、同時に）アクティブ化／非アクティブ化することができる（例えば、キャリアアクティブ化／非アクティブ化を、グループごとの基礎であるものとすることができる）。従って、オーダータイプｘｏｄｔ，１、ｘｏｄｔ，２、ｘｏｄｔ，３＝「０００」を、ＤＴＸ、ＤＲＸ、およびＨＳ−ＳＣＣＨレス動作のアクティブ化および非アクティブ化に、並びにＨＳ−ＤＳＣＨサービングセル変化に使用することができる。例示的な実施形態によれば、指定されたＨＳ−ＳＣＣＨオーダー物理チャネルの３ビットのオーダータイプおよび３ビットのオーダー（ｘｏｒｄ，１、ｘｏｒｄ，２、ｘｏｒｄ，３）を含む使用可能な６ビットを使用して、セカンダリキャリアの５６個の結果のアクティブ化／非アクティブ化状態を表すことができる。６個以上であるＭ個のダウンリンクキャリアを用いるＭＣ−ＨＳＤＰＡを実施できる通信システム１００などの無線通信システムでは、Ｍ個のキャリアをＮ個のエンティティまたはキャリアのグループにペアリングしまたはバンドルすることができ、ここで、Ｎは、５６＜２６なので、６未満の非ゼロ整数である。
【００６１】
ＤＬキャリアを、通信システム１００などの本明細書で開示される無線通信システム内で送信をスケジューリングするのに使用することができるＣＱＩ（channel quality indicator）に関連するビットに基づいてまたはこれに依存してバンドルしまたはペアリングすることができる。一実施形態では、ＤＬキャリアを、本明細書で説明するようにＣＱＩに使用可能なビットの個数に基づいてバンドルしまたはペアリングすることができる。例えば、一実施形態では、全てのＤＬキャリアＣＱＩレポートの総数をＴとすることができ、１つのバンドルされたキャリアエンティティに対応する各ＣＱＩをｔとすることができる場合に、ｔによって除算されたＴ（Ｔ／ｔ）個のキャリアを、本明細書で説明する判断基準に基づいて１つのエンティティ（またはバンドルされたキャリアエンティティ）にバンドルしまたはペアリングすることができる。
【００６２】
別の実施形態によれば、ＤＬキャリアを、ＤＬキャリアに関連する周波数帯に基づいてバンドルしまたはペアリングすることができる。例えば、隣接する周波数または周波数帯にあるものとすることができる複数のＤＬキャリアを、現在使用可能なＨＳ−ＤＰＣＣＨフォーマットおよび構成されたキャリアの総数に基づいてまたはこれに依存して一緒にバンドルしまたはペアリングすることができる。具体的には、８Ｃ−ＨＳＤＰＡについて現在使用可能な４Ｃ−ＨＳＤＰＡフォーマットを再利用するために、構成されたキャリア（例えば、８個まで）のそれぞれを、昇順の形、降順の形、または別の他の適切な方法もしくは順序によって、２つおきの隣接するキャリア（例えば、周波数隣接する）をペアリングすることができる。例えば、８個のＤＬキャリアを構成することができ、１、２、３、４、５、６、７および８としてインデクシングすることができる場合に、これらを、（１，２）、（３，４）、（５，６）、（７，８）としてペアリングすることができる。ペアリングされたキャリアおよびペアリングされないキャリアを有する８Ｃ−ＨＳＤＰＡの別の例を図４に示す。図４は、ペアリングされたキャリアおよびペアリングされないキャリアを用いる８Ｃ−ＨＳＤＰＡの例示的な実施形態の図を示す。図４に示されているように、１、２、３、４、５および６としてインデクシングされる６個のＤＬキャリアが、構成され、（１，２）、（３）、（４，５）、（６）としてペアリングすることができる。
【００６３】
追加の実施形態によれば、あるタイプのＤＬキャリアを、例えばＮ個のエンティティまたはキャリアのグループに一緒にバンドルし、かつ／またはペアリングすることができる。例えば、ＭＣ−ＨＳＤＰＡで使用することができるセカンダリＤＬキャリアを、本明細書で説明される方法のうちの１つまたは複数を使用してバンドルしまたはペアリングし、プライマリキャリアをバンドルしまたはペアリングしないものとすることができる。あるいは、ＤＬキャリアがプライマリＤＬキャリアまたはセカンダリＤＬキャリアのどちらであるのかにかかわりなく、そのようなＤＬキャリアを、本明細書で説明される方法のうちの１つまたは複数を使用してバンドルしまたはペアリングすることができる。
【００６４】
他の実施形態では、ＤＬキャリアを、ＤＬキャリアに関連するセルに基づいてまたはこれに依存して、Ｎ個のエンティティまたはグループにバンドルしまたはペアリングすることができる。例えば、ＤＬキャリアに関連する複数のセルは、マルチポイント送信で同一の周波数帯または複数の周波数帯内で構成される可能性がある。従って、一実施形態では、特定の周波数帯内の、特定の周波数帯に関連する、または特定の周波数帯範囲内のセカンダリセルおよび／またはプライマリセルなどのＤＬセルを、Ｎ個のエンティティまたはグループに一緒にバンドルしまたはペアリングすることができる。別の実施形態によれば、ＤＬセルを、そのようなＤＬセルに関連する制御情報または制御シグナリングに基づいてバンドルしまたはペアリングすることができる。例えば、ＨＳ−ＳＣＣＨ情報またはＨＳ−ＳＣＣＨシグナリングなどの共通のＤＬ制御情報または共通のＤＬ制御シグナリングを搬送しうる特定のＤＬセルに関連するＤＬセルを、Ｎ個のエンティティまたはグループのうちの１つまたは複数に一緒にバンドルしまたはペアリングすることができる。
【００６５】
特定のＵＬキャリア（例えば、プライマリＵＬキャリアまたはセカンダリＵＬキャリア）に関連するＤＬセルをも、Ｎ個のエンティティまたはグループにバンドルしまたはペアリングすることができる。例えば、ＤＬセルのグループは、特定のＵＬキャリア（例えば、セルまたはチャネル）からのフィードバックを受信することができる。ＤＬセルのそのようなグループを、Ｎ個のエンティティまたはグループのうちの１つに一緒にバンドルしまたはペアリングすることができる。具体的には、一実施形態によれば、無線通信ネットワークが、ＤＬセルのセットに特定のＵＬキャリアに関するフィードバックを提供するようにＵＥを構成することができるように、複数のＵＬフィードバックチャネルまたはリソースを、複数のダウンリンクのために展開することができる。ＤＬセルのそのようなセットは、Ｎ個のエンティティまたはグループのうちの１つにバンドルされまたはペアリングされ得るセルグループに属するものとすることができる。セルグループは、ＤＬセルの事前定義のリストに含まれるものとすることができるセルの一部または全て（例えば、グループの明示的な定義）、特定の周波数帯内のＤＬセル、ＤＬ隣接キャリア内のセル、特定の周波数または周波数の特定のグループ内のＤＬセル、および／または特定のＵＬキャリア（例えば、特定のプライマリＵＬキャリアまたはセカンダリＵＬキャリア）に関連する隣接キャリア内のＤＬセルをも含むことができる。
【００６６】
さらに、ＨＡＲＱ  ＡＣＫ／ＮＡＣＫおよび／またはＣＱＩ報告に関して、ＤＬセルを、構成されたセルのアクティブ化状態に基づいてグループ化することができる。例えば、８Ｃ−ＨＳＤＰＡでは、６個のキャリアをアクティブ化することができる場合に、６個のアクティブ化されたキャリアを、本明細書で説明するバンドリングまたはペアリングの方法のうちの１つまたは複数に基づいて、Ｎ個のエンティティまたはグループにバンドルしまたはペアリングすることができる。従って、ペアリングしまたはバンドルするエンティティは、ＭＣ−ＨＳＤＰＡで、構成されたキャリアではなくアクティブ化されたキャリアに適用することができる。例示的な実施形態によれば、ＤＬキャリアまたはセルのペアリングまたはバンドリングを、ＤＬキャリアまたはセルのうちの１つまたは複数の後続のアクティブ化状態変化にかかわりなく同一に保つことができる。あるいは、ＤＬキャリアまたはセルのペアリングまたはバンドリングを、本明細書で開示されるバンドリング方法またはペアリング方法のうちの１つまたは複数を使用して、セルの後続のアクティブ化状態変化に基づいて変更することができる。例えば、キャリアがアクティブ化された状態から非アクティブ化された状態に変化する場合に、そのキャリアを、もはやバンドルされずまたはペアリングされないものとすることができる。あるいは、キャリアが非アクティブ化された状態からアクティブ化された状態に変化する場合に、そのキャリアを、本明細書で説明するペアリングまたはバンドリングの方法のうちの１つまたは複数を使用して他のアクティブ化されたキャリアとペアリングする、またはバンドルすることができる。
【００６７】
ＤＬキャリアまたはセルを、さらに、ＲＣＣ構成メッセージなど、無線ネットワークによって受信されまたは生成された１つまたは複数のメッセージに基づいてＮ個のエンティティまたはグループにバンドルしまたはペアリングすることができる。例えば、ＲＲＣ構成メッセージは、どの特定のＤＬキャリアまたはセルを一緒にバンドルしまたはペアリングすることができるのかを示すことができる。あるいは、ＲＲＣ構成メッセージは、各ペアリングまたはバンドリング内のＤＬキャリアを、それらがＲＲＣ構成メッセージに現れるオーダーに基づいて選択することができるように、ＤＬキャリアまたはセルのオーダーを示すことができる。さらに、ＲＲＣ構成メッセージは、ＤＬキャリアを本明細書で開示されるバンドリング方法またはペアリング方法のうちの１つまたは複数を使用してＫ個のエンティティまたはグループにグループ化することができるように、ＨＳＤＰＡ内のＤＬキャリアの個数（例えば、Ｍ個のＤＬキャリア）以下とすることができる事前に定義されたまたはシグナリングされた値（例えば、Ｋ）を提供することができる。サービングセルをも、その構成ＩＥがＲＲＣ構成メッセージ内に現れるオーダーで番号付けすることができ、または、サービングセルをそのようなオーダーに基づいてバンドルしまたはペアリングすることができるように、事前に定義することができる。
【００６８】
ＤＬキャリアに関して本明細書で開示されるバンドリング方法またはペアリング方法を、あるＵＬ  ＨＳ−ＤＰＣＣＨチャネル上の１つまたは複数のＤＬキャリアを物理的にバンドルしまたはペアリングすることができない場合であっても、そのようなＤＬキャリアに関連するフィードバック情報（例えば、ＨＡＲＱ  ＡＣＫ／ＮＡＣＫおよび／またはＣＱＩ、ＭＩＭＯを構成することができる場合にはＣＱＩ／ＰＣＩ）のバンドリングまたはペアリングに使用することもできる。
【００６９】
例示的な実施形態によれば、バンドルしまたはペアリングする（例えば、本明細書で説明するように）ことのできるキャリアまたはセルをＭＩＭＯを用いて構成することができる場合に、１つまたは２つのＨＳ−ＤＳＣＨ  ＴｒＢｌｋ（例えば、プライマリＨＳ−ＤＳＣＨ  ＴｒＢｌｋおよびセカンダリＨＳ−ＤＳＣＨ  ＴｒＢｌｋ）は、ペアリングされたまたはバンドルされたＤＬキャリアにまたがることができる。あるいは、バンドルしまたはペアリングすることのできるキャリアまたはセルをＭＩＭＯを用いて構成することができない場合に、１つのＨＳ−ＤＳＣＨ  ＴｒＢｌｋが、ペアリングされたまたはバンドルされたキャリアにまたがることができる。例示的な実施形態によれば、データスプリッタを使用して、１つのＨＳ−ＤＳＣＨ  ＴｒＢｌｋ上のバンドルされたまたはペアリングされたキャリアにまたがることができる。
【００７０】
図５に、１つのＨＳ−ＤＳＣＨ  ＴｒＢｌｋ上のバンドルされたまたはペアリングされたキャリアにまたがるのに使用することができるデータスプリッタ５００の例示的な実施形態を示す。図５に示されているように、データスプリッタ５００は、本明細書で開示される１つまたは複数の方法または技法を使用してデータを分割して、バンドルされたまたはペアリングされたキャリアが１つのＨＳ−ＤＳＣＨ  ＴｒＢｌｋにまたがることを可能にすることができる。一実施形態によれば、図５に示されたデータスプリッタ５００は、例えばＵＥ受信器での検出／報告を許容されるＨＡＲＱ−ＡＣＫの個数、およびＮｏｄｅＢ送信器でのＴｒＣＨ処理チェーンの個数などに依存するＣＲＣアタッチメントおよび／またはチャネル符号化の前または後に、そのようなデータを分割することができる。
【００７１】
一実施形態では、バンドルされたまたはペアリングされたキャリアの間でＴｒＢｌｋを均等に分割することによって、データを分割することができる（例えば、図５に示されたデータスプリッタ５００によって）。例えば、一緒にバンドルされるキャリアの総数をＫとすることができる場合に、１つのＴｒＢｌｋを使用する均等なデータ分割の後のサブＴｒＢｌｋのサイズは、例えばＨＳ−ＤＳＣＨ  ＴｒＢｌｋのオリジナルサイズをＴＢＳとすることができるときに、ＴＢＳ／Ｋとすることができる。バンドルされたまたはペアリングされたキャリアの間でＴｒＢｌｋを均等に分割することによって、バンドルされたまたはペアリングされたキャリアを有する各個々のキャリアのチャネル品質を、シグナリングしなくてもよい（例えば、スケジューリング利得を犠牲にして）。
【００７２】
無線通信ネットワークの１つまたは複数のコンポーネントによって生成されるＵＬフィードバック情報に基づいてＴｒＢｌｋを分割することによって、データを分割することもできる（例えば、図５に示されたデータスプリッタ５００によって）。例えば、１つのＴｒＢｌｋを、バンドルされたまたはペアリングされたキャリアのＫ個のキャリアに対応するＫ個のＣＱＩに基づいて、Ｋ個のサブＴｒＢｌｋに分割することができる。バンドルされるキャリアの総ＣＱＩによって引き起こされる可能性があるＵＬフィードバックを減らすために、各バンドルされたまたはペアリングされたキャリアごとのｄｅｌｔａ＿ＣＱＩを、ＵＥからｅＮＢまたはＮｏｄｅＢにフィードバックすることができる。フィードバックすることができるｄｅｌｔａ＿ＣＱＩを、通常のまたは標準のＣＱＩ値より少数のビットによって表すことができる。上述したように、図５に示されたデータスプリッタは、ＵＥからのＫ個のｄｅｌｔａ＿ＣＱＩ値フィードバックに基づいて、ペアリングされたキャリアをデータ分割することができる。
【００７３】
さらに、ＴｒＢｌｋを、バンドルされたキャリア（例えば、一緒にバンドルされた複数のキャリア）内のＫ個のキャリア上で搬送することができるＫ個のサブＴｒＢｌｋに分割することができる。Ｋ＝２のときには、データスプリッタを、ペアリングされたキャリア（例えば、一緒にバンドルされた２つのキャリア）のデータスプリッタとすることができる。
【００７４】
図６に、バンドルされたキャリアまたはペアリングされたキャリア（例えば、一緒にバンドルされまたはペアリングされた２つのキャリアを含むことができるバンドルされたキャリア）のデータスプリッタ６００の図の別の例示的な実施形態を示す。一実施形態によれば、例えば図６に示されたデータスプリッタ６００は、１つまたは複数のｄｅｌｔａ＿ＣＱＩを供給しまたはシグナリングするのではなく、無線通信システムのＵＥまたは他のコンポーネントからｅＮＢまたはＮｏｄｅＢに供給され、かつ／またはシグナリングされる割合を使用して、１つのＴｒＢｌｋをバンドルされたキャリアまたはペアリングされたキャリア（例えば、Ｋ＝２のとき）内のＫ個のキャリアに関するＫ個のサブＴｒＢｌｋに分割することができる。例えばＵＥから供給されまたはシグナリングされるそのような割合は、ＵＬフィードバックシグナリングオーバーヘッドをさらに減らすことができる。
【００７５】
さらに、バンドルされたまたはペアリングされたキャリア（例えば、ＭＩＭＯ構成を有するまたは有しない）をまたぐことができる２つのＨＳ−ＤＳＣＨ  ＴｒＢｌｋ（例えば、プライマリＨＳ−ＤＳＣＨ  ＴｒＢｌｋおよびセカンダリＨＳ−ＤＳＣＨ  ＴｒＢｌｋ）は、上述したデータ分割方法のいずれかを使用して分割され得る。例示的な実施形態によれば、データ分割比は、２つのＨＳ−ＤＳＣＨ  ＴｒＢｌｋ（例えば、プライマリＨＳ−ＤＳＣＨ  ＴｒＢｌｋおよびセカンダリＨＳ−ＤＳＣＨ  ＴｒＢｌｋ）について同一であってもなくてもよい。さらに、２つのＨＳ−ＤＳＣＨ  ＴｒＢｌｋおよびそれに関連するバンドルされたまたはペアリングされたキャリアに関係するＨＡＲＱプロセスの個数は、例えば、ＵＥをバンドル内の１つまたは複数のセル内でＭＩＭＯモードで構成することができるか否かに依存して、２または１とすることができる。
【００７６】
別の実施形態では、複数のＴｒＢｌｋ（transport block）を、キャリアバンドルまたはキャリアペア内の１つまたは複数のサービングセルによって搬送することができる。例えば、バンドルまたはペア内のサービングセルの個数を、Ｎと表すことができる。従って、Ｋ個のトランスポートブロックを、そのバンドルまたはペアを介して送信することができ、Ｋは、範囲１＜Ｋ≦Ｎの整数とすることができる。例示的な実施形態によれば、各セルは、１つのＴｒＢｌｋに関連するデータが分割されないように、（例えば、Ｋ＝Ｎのとき）そのＴｒＢｌｋを搬送することができる。
【００７７】
各ＴｒＢｌｋのサイズは、例えば、バンドルまたはペア内のサービングセルごとのセル固有ＣＱＩレポートによって個別に決定することができる。セル固有ＣＱＩレポートを、アップリンクを介して、例えばＴＤＭ（Time-Division Multiplexing）または本明細書で説明される「デルタ」ＣＱＩの使用を含む任意の他の適切な方法または技法を使用して送信することができる。あるいは、バンドルまたはペア内の１つまたは複数のサービングセルのトランスポートブロックサイズを判定し、またはこれに、バンドルまたはペアに関連するＣＱＩレポート（例えば、バンドル固有ＣＱＩレポート）に含めることができる量をセットすることができる。
【００７８】
各トランスポートブロックは、それに関連するＣＲＣ（cyclic redundancy check：巡回冗長検査）を有することができる。従って、ＨＡＲＱ動作を、各個々のトランスポートブロックに適用することができる。そのようなＨＡＲＱ動作を適用するときに、要求されるＨＡＲＱプロセスの個数を、サービングセルの個数ではなく、バンドル内のトランスポートブロックの個数によって判定することができる。あるいは、アップリンク制御情報フィードバック内でのグループ化されたＡＣＫ／ＮＡＣＫ報告を使用することができるように、バンドルまたはペア内のセルによって送信される複数のトランスポートブロックについて、合同ＨＡＲＱプロセスを設計することができる。
【００７９】
本明細書で説明するバンドリングまたはペアリングの方法または技法を、ＵＥが当初にＲＲＣ構成などのより上の層によって複数のキャリアを有して構成され得るときに実行することができる。そのような実施形態では、構成されたセカンダリサービングセルを、Ｌ１シグナリングを介して動的にアクティブ化または非アクティブ化することができる。さらに、より少ないセルがデータ送信に用いられる可能性があるので、アクティブ化または非アクティブ化が発生する可能性があるときに、ＵＥ挙動を指定することができる。
【００８０】
一実施形態では、バンドリング／ペアリングエンティティの数がより少なくなくなることができ、これによってシグナリングを減らすように、サービングセルまたはキャリアを、１つまたは複数のルール（例えば、事前定義のルール）を使用して異なるバンドリング／ペアリング関係に再グループ化することができる。ルールは、同一周波数帯内のセルが、同一バンドルまたは同一ペア内のセルができる限り多数の隣接する周波数内にあることができるようにする判断基準の下で再グループ化され得ること、同一のアップリンク周波数に関連するセルが、同一バンドルまたは同一ペア内のセルができる限り多数の隣接する周波数内にあることができるようにする判断基準の下で再グループ化され得ること、およびセルが、ソートされた順序に基づいて順次再グループ化され得ること、のうちの１つまたは複数を含むことができる。
【００８１】
例えば、サービングセルまたはキャリアに、ＲＲＣ構成を使用する上位層シグナリングを介してキャリア構成で連続する番号によってラベルを付けることができる。非アクティブ化オーダーが、非アクティブ化される１つまたは複数のセルと共に受信され得るときに、セルを、キャリアラベルに従ってソートすることができ、ソートされた順序に従って順次再グループ化することができる。例えば、８つのキャリアを、ペアリングルール｛１，２｝｛３，４｝｛５，６｝｛７，８｝を用いて構成することができるときに、セルを、例えばセル２  ４  ５  ８を非アクティブ化することができる場合に、新しいペアリング関係｛１３｝｛６７｝を用いて再グループ化することができる。
【００８２】
別の実施形態では、セルまたはキャリア間のバンドリング／ペアリング関係は、サービングセルまたはキャリアの非アクティブ化の際に変更されなくてもよい。さらに、バンドルまたはペア内の１つまたは複数のセルまたはキャリアが非アクティブ化される可能性があるときに、バンドルまたはペア内の残りのセル（例えば、残りのアクティブ化されたセル）またはキャリアは、より小さいサイズのＴｒＢｌｋを搬送することができる。残りのセル（例えば、アクティブ化されたセル）またはキャリアの個数を減らすことができるので、そのような残りのセルをサポートするための制御情報の量を減らすこともできる。従って、ＵＬ制御チャネルおよび／またはＤＬ制御チャネル上での対する電力オフセットを、より少なくまたは減らすこともできる。
【００８３】
アクティブ化／非アクティブ化のルールを、ＨＳ−ＳＣＣＨオーダーを実行してバンドルまたはペアをアクティブ化／非アクティブ化することができる形で設計することもできる。当該実施形態では、ＵＬおよび／またはＤＬに関する制御シグナリングは、現在のＨＳ−ＳＣＣＨオーダーおよびチャネルを再利用することができ、より少ない個数のアクティブ化されたサービングセルがある可能性があるかのように動作することができる。
【００８４】
一実施形態によれば、ＵＥは、どのキャリアがバンドルされまたはペアリングされる可能性があるのかに関連するまたはこれを含むことができる情報（例えば、構成情報）を受信する、または獲得することができる。例えば、この情報を、例えばＮｏｄｅＢまたはｅＮＢなどの無線通信システムのコンポーネントによって明示的にまたは暗黙のうちにＵＥに送信して、ダウンリンクキャリアのバンドリングまたはペアリングをシグナリングすることができる。ＵＥは、ＵＥが構成情報を使用してバンドルされたまたはペアリングされたキャリア（例えばＮ個のエンティティ内の）を復号することができるように、どのキャリアをバンドリングしまたはペアリングすることができるのか、従って、１つのＨＳ−ＳＣＣＨによって制御され得るのかに関する構成情報を受信しまたは獲得することができる。バンドリング情報またはペアリング情報を含むことができる構成情報を、構成されたキャリアの個数に基づいてまたはより上の層によって構成されるキャリアに基づいて、事前に定義することができる。
【００８５】
構成情報またはバンドルされたキャリアもしくはペアリングされたキャリアを示す情報を、例えば、ＵＥに明示的にシグナリングすることができる。一実施形態では、新しいＩＥを、ＲＲＣ制御シグナリングメッセージ上で導入して、構成を明示的にシグナリングすることができる。例えば、ＲＮＣは、ＲＲＣ制御シグナリングメッセージをＵＥに送信することができる。ＵＥは、ＲＲＣメッセージから、バンドルされたキャリアまたはペアリングされたキャリアの構成情報を抽出することができる。
【００８６】
別の実施形態では、例えばＭＡＣヘッダを介するＬ２メッセージを使用して、バンドルされたキャリアまたはペアリングされたキャリアの構成情報を明示的にシグナリングすることができる。例えば、Ｌ２シグナルまたはＬ２メッセージ（例えば、半静的メッセージ）を受信した後に、ＵＥは、本明細書で説明されるように、ＨＳ−ＳＣＣＨを復号し、複数のキャリアにまたがるデータ復調に使用される制御情報を抽出することができる。
【００８７】
あるいは、Ｌ１メッセージを使用して、例えば本明細書で提案され、以下で詳述されるＨＳ−ＳＣＣＨオーダーなどのＨＳ−ＳＣＣＨオーダーを使用して、バンドルされたキャリアまたはペアリングされたキャリアの構成を明示的にシグナリングすることができる。
【００８８】
バンドルされたまたはペアリングされたキャリアを示す構成または情報を、例えば、暗黙のうちにＵＥにシグナリングすることもできる。一実施形態では、新しいパラメータまたはシグナリングメッセージを導入するのではなく、バンドルまたはペアリングされたキャリアの構成または事前に定義された構成情報を、既存のパラメータ（例えば、Secondary_Cell_EnabledまたはSecondary_Cell_Active）によってシグナリングすることができる。一例を、表１に示されたものとすることができ、ここでは、Secondary_Cell_Enabledを、Secondary_Cell_Enabledに基づいてより上の層によって構成されたセカンダリサービングＨＳ−ＤＳＣＨセルの個数と等しいものとすることができる。ＵＥは、バンドルされたまたはペアリングされたＤＬキャリアを暗黙のうちにシグナリングすることができ、これらを、例えば表１に示されたパラメータを使用して４Ｃ−ＨＳＤＰＡでの同等の構成にマッピングすることができる。
【００８９】
【表１】
0005634625.tif 000002
【００９０】
例示的な実施形態によれば、本明細書で説明する方法（例えば、信号構成情報またはバンドルされたもしくはペアリングされたキャリアに関連する情報を暗黙のうちにまたは明示的にシグナリングするための）を、例えば、バンドルされまたはペアリングされ得るＤＬキャリアが１つのＨＳＤＰＡ  ＴｒＢｌｋを使用することができるときまたはフィードバック内容（例えば、ＨＡＲＱ  ＡＣＫ／ＮＡＣＫ、ＣＱＩ、およびＭＩＭＯが構成される場合のＣＱＩ／ＰＣＩなど）をバンドルしまたはペアリングすることができるときに使用することができる。そのようなバンドルされまたはペアリングされたＤＬキャリアが、１つのＨＳＤＰＡ  ＴｒＢｌｋを使用し、またはバンドルされもしくはペアリングされたＵＬキャリアが、そのようなフィードバック内容を含むときには、現在のＨＳ−ＤＰＣＣＨフォーマットを使用して、ＭＣ−ＨＳＤＰＡに含まれる可能性がある追加のキャリアをサポートすることができる。例えば、そのようなバンドルされまたはペアリングされたＤＬキャリアが１つのＨＳＤＰＡ  ＴｒＢｌｋを使用するか、バンドルされまたはペアリングされたＵＬキャリアがそのようなフィードバック内容を含むときに、４Ｃ−ＨＳＤＰＡで使用される現在のＨＳ−ＤＰＣＣＨフォーマットは、８Ｃ−ＨＳＤＰＡに関連する追加のキャリアをサポートするのに使用され得る。
【００９１】
バンドルされたまたはペアリングされたキャリアを用いるＭＣ−ＨＳＤＰＡシステムでは、ＵＥは、関連するＨＳ−ＰＤＳＣＨデータ復調にＤＬ制御情報を使用することもできる。ＤＬ制御シグナリングオーバーヘッドを減らすために、バンドルされたまたはペアリングされたキャリア上で搬送されるＨＳ−ＰＤＳＣＨに関連する１つのＨＳ−ＳＣＣＨを、バンドルされたまたはペアリングされたキャリアに含まれるキャリアのうちの１つ、バンドルされたまたはペアリングされたキャリアに含まれる第１のキャリア、バンドルされたまたはペアリングされたキャリアに含まれる最小量の負荷を有するキャリア、およびプライマリキャリアがバンドルされたまたはペアリングされたキャリアに属する場合のプライマリキャリアのうちの１つまたは複数の上で送信することができる。例えば、バンドルされたキャリアがＫ個のキャリアを含む場合に、バンドルされたキャリア上で搬送されるＨＳ−ＰＤＳＣＨに関連する１つのＨＳ−ＳＣＣＨを、Ｋ個のキャリアのうちの１つ、Ｋ個のキャリアのうちの第１のキャリア、Ｋ個のキャリアに含まれる他のキャリアより少ない負荷（例えば、より小さいサブＴｒＢｌｋ）を有するキャリア、およびプライマリキャリアがＫ個のキャリアに属する場合のプライマリキャリアのうちの１つまたは複数の上で送信することができる。
【００９２】
ＵＥが、バンドルされたまたはペアリングされたキャリアに含まれるキャリアのうちの１つ（例えば、Ｋ個のキャリアのうちの１つ）上で搬送されたＨＳ−ＳＣＣＨを受信した後に、そのＵＥは、ＨＳ−ＳＣＣＨ上で受信された制御情報を、適当なＫ個のキャリアに対するデータ復調に適用することができる。
【００９３】
Ｋ個のキャリアにまたがるデータ復調を容易にするために、１つのＨＳ−ＳＣＣＨを、本明細書で開示されるように設計し、実施し、使用することができる。一実施形態では、既存のＨＳ−ＳＣＣＨを、バンドルされたキャリア上で搬送されるＫ個のサブＴｒＢｌｋまたはペアリングされたキャリア上で搬送される２個のサブＴｒＢｌｋについてシグナリングし、使用することができる。６ビットＴＢＳ（Transport-block size：トランスポートブロックサイズ）情報Ｘｔｂｓ＝（ｘｔｂｓ，１，ｘｔｂｓ，２，…，ｘｔｂｓ，６）の値は、バンドルされたもしくはペアリングされたキャリアにまたがる１つのＴｒＢｌｋのサイズまたはバンドルされたもしくはペアリングされたキャリアの各個々のキャリア上で搬送される１つのサブＴｒＢｌｋのサイズ（Ｘｓｕｂ＿ｔｂｓ）を表すことができる。この２つの値の間の比を、１／Ｋとすることができる。一実施形態によれば、同一のチャネル符号化、変調およびＨＡＲＱを、同一のまたは類似するチャネル条件に起因して均等に分割されたサブＴｒＢｌｋに適用することができるように、１つのＨＳ−ＤＳＣＨ  ＴｒＢｌｋをバンドルされたキャリアのＫ個のキャリアに対応するＫ個のサブＴｒＢｌｋに等しく分割することができる（または、１つのＨＳ−ＤＳＣＨ  ＴｒＢｌｋをペアリングされたキャリアの２つのＴｒＢｌｋに等しく分割することができる）ときに、既存のＨＳ−ＳＣＣＨを、上述したようにシグナリングすることができる。
【００９４】
別の実施形態によれば、合同（joint）ＨＳ−ＳＣＣＨフォーマットを提供することができる。合同ＨＳ−ＳＣＣＨを、スケジューリング柔軟性とシグナリングオーバーヘッド削減とのトレードオフに基づいて設計しまたは実施することができる。合同ＨＳ−ＳＣＣＨを使用して、共通部分とキャリア固有部分とを含むことができる、Ｋ個のキャリアにまたがる１つのＴｒＢｌｋに関する共通制御情報およびキャリア固有制御情報を搬送することができる。共通部分は、Ｋ個のキャリアにまたがる１つまたは複数のサブＴｒＢｌｋに関して共有することができる共通の制御情報を含むことができ、キャリア固有部分は、データ復調に使用することができるＫ個のキャリアに関するキャリア固有情報を個別に含むことができる。また、合同ＨＳ−ＳＣＣＨを、スケジューリング柔軟性とシグナリングオーバーヘッド削減とのトレードオフに基づいて設計することができる。
【００９５】
１つまたは複数のパラメータを、合同ＨＳ−ＳＣＣＨ物理チャネルによって送信することができる（例えば、非ＭＩＭＯモードまたはＭＩＭＯモードで構成されたＫ個のキャリアについて）共通部分またはキャリア固有部分に含めることができる。パラメータは、チャネライゼーション符号セット情報すなわち、変調方式情報、ハイブリッドＡＲＱプロセス情報、冗長性およびコンステレーションバージョン、データインジケータ、ＵＥアイデンティティ、トランスポートブロックサイズ情報、プリコーディング重み情報（例えば、１つのトランスポートブロックをＭＩＭＯモードのために構成することができるかどうか）、複数のトランスポートブロック情報（例えば１つのトランスポートブロックをＭＩＭＯモードのために構成することができるかどうか）、プライマリトランスポートブロックのプリコーディング重み情報（例えば、２つのトランスポートブロックをＭＩＭＯモードのために構成することができるかどうか）、プライマリトランスポートブロックのトランスポートブロックサイズ情報（例えば、２つのトランスポートブロックをＭＩＭＯモードのために構成することができるかどうか）、セカンダリトランスポートブロックのトランスポートブロックサイズ情報（例えば、２つのトランスポートブロックをＭＩＭＯモードのために構成することができるかどうか）、プライマリトランスポートブロックの冗長性およびコンステレーションバージョン（例えば、２つのトランスポートブロックがＭＩＭＯモードのために構成されるかどうか）、セカンダリトランスポートブロックの冗長性およびコンステレーションバージョン（例えば、２つのトランスポートブロックをＭＩＭＯモードのために構成することができるかどうか）を含むことができる。
【００９６】
例示的な実施形態によれば、共通部分に含めることができるパラメータは、ＵＥ固有部分に含まれなくてもよく、逆も同様である。さらに、合同ＨＳ−ＳＣＣＨの共通部分およびＵＥ固有部分の１つまたは複数のパラメータを選択するときに、共通部分は、最小のキャリア固有制御情報を個々のキャリア固有部分に含めることができるように、例えばキャリア（例えば、Ｋ個のキャリア）によって共有することができる共通制御情報を含むことができる。また、共通部分は、より多くのキャリア固有制御情報を各キャリア固有部分に含めることができるように、キャリア（例えば、Ｋ個のキャリア）によって共有することができる制限された共通制御情報を含むことができる。
【００９７】
１つまたは複数の符号化チェーン方式を、合同ＨＳ−ＳＣＣＨでの送信に使用することもできる。例えば、チャネライゼーション符号および変調方式を、例えばバンドルされたまたはペアリングされたキャリア内のキャリア（例えば、Ｋ個のキャリア）にまたがって使用することができる。
【００９８】
図７および図８に、それぞれＭＩＭＯを用いて構成されないおよびＭＩＭＯを用いて構成された、バンドリングされたまたはペアリングされたキャリアの合同ＨＳ−ＳＣＣＨで使用することができる符号化方式の図を示す。図７および図８に示されているように、複数のチャネライゼーション符号（例えば、ＴｒＢｌｋに使用される）および変調方式を、ＭＩＭＯを用いて構成されないおよびＭＩＭＯを用いて構成されたバンドリングされたまたはペアリングされたキャリアに関連するＫ個のキャリアにまたがって共通とすることができる。特定のＴｒＢｌｋに使用されるチャネライゼーション符号を、ＭＩＭＯを用いて構成されないおよびＭＩＭＯを用いて構成されたバンドリングされたまたはペアリングされたキャリアに関連するＫ個のキャリアにまたがって異なるものとすることもできる。
【００９９】
別の実施形態によれば、バンドルされたまたはペアリングされたキャリアにまたがるまたはこれを介するＵＥのデータ復調を容易にするために、１つまたは複数の新しいパラメータを導入して、キャリア（例えば、Ｋ個のキャリア）を介して送信されるＨＳ−ＤＳＣＨデータの差を示すことができる。例えば、Ｒｔｂｓ，ｋと表されるスケーリング係数を導入することができる。スケーリング係数Ｒｔｂｓ，ｋを、第ｋのキャリア上で送信されるサブＴｒＢｌｋのサイズとすることができる。例えば、スケーリング係数Ｒｔｂｓ，ｋを、６ビット未満のＴＢＳ（Transport block size）情報（例えば、６ビット：ｘｔｂｓｐｂ，１、ｘｔｂｓｐｂ，２、…、ｘｔｂｓｐｂ，６）によって表し、これによって、ＤＬ  ＨＳ−ＳＣＣＨの使用に関連する負荷を減らすことができる。一実施形態では、キャリア（例えば、Ｋ個のキャリア）にまたがる１つのＴｒＢｌｋのサイズまたはＸｔｂｓを、共通部分に含めることができ、サブＴｒＢｌｋのサイズ（Ｘｓｕｂ＿ｔｂｓ，ｋ）を個別にシグナリングするのではなく、各キャリアのスケーリング係数Ｒｔｂｓ，ｋを、Ｋ個のキャリア固有部分に含めることができる。
【０１００】
ＭＣ−ＨＳＤＰＡ（例えば、４Ｃ−ＨＳＤＰＡ、および８Ｃ−ＨＳＤＰＡなど）での１つまたは複数のセカンダリキャリアのアクティブ化／非アクティブ化のＨＳ−ＳＣＣＨオーダーを、キャリアごとの基礎で構成されたキャリアを同時にアクティブ化／非アクティブ化することができる単一のＨＳ−ＳＣＣＨオーダーとすることができる。例えば、６ビットＳ−ＳＣＣＨオーダーを使用することができる場合に、表すことができる状態全体は、ＤＴＸ、ＤＲＸ、およびＨＳ−ＳＣＣＨレス動作のアクティブ化および非アクティブ化などの他の目的並びにＨＳ−ＤＳＣＨサービングセル変更に使用される８つのＨＳ−ＳＣＣＨオーダーを考慮に入れると、６４（または２６）個である。従って、キャリアアクティブ化／非アクティブ化に使用可能な６ビットＨＳ−ＳＣＣＨオーダーは、単一のＨＳ−ＳＣＣＨオーダーが、例えば各キャリアを１グループのバンドルされたまたはペアリングされたキャリアに置換することによる、任意のキャリアごとの基礎の方法を再利用することによってグループごとの基礎で構成されたバンドルされたまたはペアリングされたキャリアを同時にアクティブ化／非アクティブ化することができるように、バンドルされたまたはペアリングされたキャリアの個数を６個未満とすることができる場合に、（例えば、２５＜５６＜２６に起因して）５６個とすることができる。
【０１０１】
例示的な実施形態によれば、単一のＨＳ−ＳＣＣＨオーダーは、１つまたは複数のルールを使用してグループごとの基礎で構成されたバンドルされたまたはペアリングされたキャリアを同時にアクティブ化／非アクティブ化することができる。１つまたは複数のルールは、第１のセカンダリサービングＨＳ−ＤＳＣＨセルが、ＤＣ−ＨＳＵＰＡを構成することができるときの第１のセカンダリサービングＨＳ−ＤＳＣＨセルとセカンダリアップリンク周波数との間の関連付けに起因して他のセカンダリサービングＨＳ−ＤＳＣＨセルとバンドルすることができなくなる（例えば、第１のセカンダリサービングＨＳ−ＤＳＣＨセルをそれ自体とバンドルするか１グループとして扱うことができる）ように、グループごとの基礎で構成されたバンドルされたまたはペアリングされたキャリアをアクティブ化／非アクティブ化することを含むことができる。従って、セカンダリアップリンク周波数をそれでもアクティブ化することができるときに、第１のセカンダリサービングＨＳ−ＤＳＣＨセルを、別のバンドルされたセカンダリサービングＨＳ−ＤＳＣＨセルの非アクティブ化に起因して非アクティブ化することはできない。
【０１０２】
１つまたは複数のルールは、さらに、プライマリキャリアを非アクティブ化することができない場合にプライマリＤＬキャリア（またはサービングＨＳ−ＤＳＣＨセル）を他のキャリア（またはセカンダリサービングＨＳ−ＤＳＣＨセル）とバンドルすることができなくなるように、グループごとの基礎で構成されたバンドルされたまたはペアリングされたキャリアをアクティブ化／非アクティブ化することを含むことができる。プライマリＤＬキャリア（またはサービングＨＳ−ＤＳＣＨセル）を他のＤＬキャリア（またはセカンダリサービングＨＳ−ＤＳＣＨセル）とバンドルしまたはペアリングすることができる場合には、バンドルされたまたはペアリングされたキャリアをアクティブ化／非アクティブ化するのに使用されるＨＳ−ＳＣＣＨオーダーを、バンドルされたまたはペアリングされたキャリア内のプライマリＤＬキャリア（例えば、セカンダリサービングＨＳ−ＤＳＣＨセル）ではなく他のＤＬキャリアをアクティブ化／非アクティブ化するように条件付けることができる。
【０１０３】
１つまたは複数のルールは、さらに、第１のセカンダリサービングＨＳ−ＤＳＣＨセルをセカンダリアップリンク周波数とバンドルすることができ、１ビットを使用することができる（例えば、バンドル情報またはペアリング情報）グループとしてアクティブ化／非アクティブ化することができ、これによってＨＳ−ＳＣＣＨオーダーでのビット消費を減らすように、グループごとの基礎で構成されたバンドルされたまたはペアリングされたキャリアをアクティブ化／非アクティブ化することを含むことができる。そのようなバンドリング情報またはペアリング情報（例えば、１ビット）を、より上の層のメッセージ（例えば、ＲＲＣメッセージ）を使用してシグナリングすることができる。
【０１０４】
例示的な実施形態によれば、個々のキャリアをバンドルされたまたはペアリングされたキャリアを有するＭＣ−ＨＳＤＰＡ内のキャリアのグループによって置換することができるときに、それに関連する１つまたは複数のルールを含むキャリアごとの基礎でのキャリアアクティブ化／非アクティブ化を、グループごとの基礎でのキャリアアクティブ化／非アクティブ化について再利用することができる。６ビットＨＳ−ＳＣＣＨオーダーが、グループごとの基礎で５つまでのグループについて同時キャリアアクティブ化／非アクティブ化をサポートすることができるので、セカンダリサービングＨＳ−ＤＳＣＨセルおよびセカンダリアップリンク周波数を、アクティブ化／非アクティブ化されるキャリアの５つまでのグループにバンドルしまたはペアリングすることができる。
【０１０５】
例えば、８Ｃ−ＨＳＤＰＡでは、ＤＣ−ＨＳＵＰＡを構成することができる場合に７つのセカンダリサービングＨＳ−ＤＳＣＨセルおよびセカンダリアップリンク周波数を同時にアクティブ化／非アクティブ化するのに単一のＨＳ−ＳＣＣＨオーダーを使用するために、８つのサービング／セカンダリサービングＨＳ−ＤＳＣＨセルを、（０）、（１）、（２，３）、（４，５）、および（６，７）としてペアリングすることができ、次に、４つのペアリングされた／ペアリングされていないセカンダリサービングＨＳ−ＤＳＣＨセルおよびセカンダリアップリンク周波数を、下の表２に示されているように単一のＨＳ−ＳＣＣＨオーダーによって同時にアクティブ化／非アクティブ化することができ、ここで、（０）は、サービングＨＳ−ＤＳＣＨセルを他のセカンダリサービングＨＳ−ＤＳＣＨセルとバンドルしまたはペアリングすることができないことを示すことができる。他の例示的な実施形態によれば、表２に示された実際のコマンド対ビットマッピングおよびセカンダリキャリアのペアリングは、実際の実施態様で異なるものとすることができる。例えば、８つのサービングＨＳ−ＤＳＣＨセルおよびセカンダリサービングＨＳ−ＤＳＣＨセルを、（０）、（１）、（２）、（３）、および（４，５，６，７）としてペアリングすることができ、次に、４つのペアリングされた／ペアリングされていないセカンダリサービングＨＳ−ＤＳＣＨセルおよびセカンダリアップリンク周波数を、単一の６ビットＨＳ−ＳＣＣＨオーダーによって同時にアクティブ化／非アクティブ化することができる。
【０１０６】
【表２】
0005634625.tif 000003
【０１０７】
ＭＣ−ＨＳＤＰＡのバンドルされた（またはペアリングされた）キャリアの総数（例えば、Ｎ個のバンドルされたまたはペアリングされたキャリア）が、しきい値（例えば、５個または現在のオーダービットの総数）未満である可能性がある場合に、３ビットのオーダータイプ（ｘｏｄｔ，１、ｘｏｄｔ，２、ｘｏｄｔ，３）および３ビットのオーダー（ｘｏｒｄ，１、ｘｏｒｄ，２、ｘｏｒｄ，３）を含む単一のＨＳ−ＳＣＣＨオーダーは、ＭＣ−ＨＳＤＰＡのキャリア（例えば、Ｎ個のバンドルされたまたはペアリングされたキャリア）を同時にアクティブ化／非アクティブ化することができる。例示的な実施形態によれば、ＨＳ−ＳＣＣＨオーダーマッピングテーブルを導入して、ＭＣ−ＨＳＤＰＡのバンドルされたまたはペアリングされたキャリア（例えば、Ｎ個のバンドルされたまたはペアリングされたキャリア）のアクティブ化／非アクティブ化のオーダーを定義することができる。あるいは、４Ｃ−ＨＳＤＰＡのセカンダリキャリアのアクティブ化／非アクティブ化のオーダーを、ＭＣ−ＨＳＤＰＡのバンドルされた（またはペアリングされた）キャリアの各グループを４Ｃ−ＨＳＤＰＡの各個々のキャリアにマッピングすることによって、ＭＣ−ＨＳＤＰＡで再利用することができる。例えば、８Ｃ−ＨＳＤＰＡでは、７つのセカンダリサービングＨＳ−ＤＳＣＨセルを、それぞれ４Ｃ−ＨＳＤＰＡオーダーマッピングテーブル内で第１、第２、および第３のセカンダリサービングＨＳ−ＤＳＣＨセルを置換することができる３つのグループにバンドルすることができる。ＤＣ−ＨＳＵＰＡを用いて構成された８Ｃ−ＨＳＤＰＡの例示的な実施態様を、表３に示すことができ、ここで、第１のセカンダリサービングＨＳ−ＤＳＣＨセルを、セカンダリアップリンク周波数に関連する可能性がある他のセカンダリサービングＨＳ−ＤＳＣＨセルとバンドルすることはできない。単一のアップリンクキャリアを用いて構成された８Ｃ−ＨＳＤＰＡでは、第１のセカンダリサービングＨＳ−ＤＳＣＨセルを他のセカンダリサービングＨＳ−ＤＳＣＨセルとバンドルしないという制限は、使用されないものとすることができ、ＤＬセカンダリキャリアを、下の表４に示されているように、４Ｃ−ＨＳＤＰＡの４つの個々のキャリアにマッピングすることができる４つのバンドル／ペアリングされたセカンダリサービングＨＳ−ＤＳＣＨにバンドル／ペアリングすることができる。
【０１０８】
【表３】
0005634625.tif 000004
【０１０９】
【表４】
0005634625.tif 000005
【０１１０】
例示的な実施形態によれば、キャリアまたはバンドルされた（またはペアリングされた）キャリアの総数（例えば、Ｎ）を、
【０１１１】
【数１】
0005634625.tif 000006
【０１１２】
（または現在のオーダービットの総数）と定義されるしきい値Ｌなどのしきい値を超えるものとすることができ、ここで、
【０１１３】
【数２】
0005634625.tif 000007
【０１１４】
の表記は、ｘを最も近い整数へ切り捨てる（round down）することができる、関数ｆｌｏｏｒ（ｘ）とすることができる。しきい値Ｌは、ＤＣ−ＨＳＤＰＡを構成することができるときにＮ個のバンドル／ペアリングされたキャリアを有するＭＣ−ＨＳＤＰＡ（例えば、８Ｃ−ＨＳＤＰＡ）の全ての構成されたセカンダリキャリアをアクティブ化／非アクティブ化するためにＭＣ−ＨＳＤＰＡのキャリアアクティブ化／非アクティブ化に使用することができるＨＳ−ＳＣＣＨオーダーの総数（例えば、４Ｃ−ＨＳＤＰＡで使用される６ビットＨＳ−ＳＣＣＨオーダーおよび他の目的のための８つのＨＳ−ＳＣＣＨオーダーを考慮すると、しきい値
【０１１５】
【数３】
0005634625.tif 000008
【０１１６】
になる、キャリアアクティブ化／非アクティブ化に使用可能な５６個のＨＳ−ＳＣＣＨオーダーがある）を考慮して、単一のＨＳ−ＳＣＣＨオーダーによって同時にアクティブ化／非アクティブ化することができるキャリアまたはバンドルされた（またはペアリングされた）キャリアの最大個数を示すことができ、セカンダリサービングＨＳ−ＤＳＣＨセルおよびセカンダリアップリンク周波数のアクティブ化／非アクティブ化に関するＨＳ−ＳＣＣＨオーダーを、本明細書で説明する次の方法のうちの１つまたは複数を使用して構成し、提供し、実施することができる。
【０１１７】
例えば、一実施形態では、トランスポートブロックサイズ情報など、ＨＳ−ＳＣＣＨオーダーの、１つまたは複数の使用可能な、キャリアアクティブ化／非アクティブ化以外の目的のために使用可能にされた、予約済みの、もしくは未使用のフィールドまたはＵＥがＭＩＭＯを用いて構成されないときの新規データ指標からのビットを再解釈することによって（Ｎ、すなわち、現在のオーダービットの総数）、ＨＳ−ＳＣＣＨオーダーのオーダービットの総数を、現在のオーダービットの総数またはしきい値（例えば、５）から、ＭＣ−ＨＳＤＰＡのキャリアまたはバンドルされた（またはペアリングされた）キャリアの総数（例えば、Ｎ）に拡張することができる（例えば、６からＮ（Ｎは、ＭＣ−ＨＳＤＰＡのキャリアまたはバンドル／ペアリングされたキャリアの総数とすることができる））。例えば、Ｎ＝８個のバンドルされたキャリア、４Ｃ−ＨＳＤＰＡで使用することができる６ビットＨＳ−ＳＣＣＨオーダー、およびＮ未満のしきい値（例えば、しきい値Ｌを、５とすることができ、Ｎ＞Ｌである）を有するＭＣ−ＨＳＤＰＡでは、ＨＳ−ＳＣＣＨオーダーのオーダービットの総数を、６からＮ（例えば、８）または（Ｎ−６）に拡張することができ、２つの追加ビットを、Ｎ＝８のときにＴＢＳ（Transport block size）の第５のビットおよび第６のビットなど、他のフィールドまたはビットから再解釈することができる。そのような実施形態では、ＴＢＳビットなどの他の目的に使用することができる現在の６ビットＴＢＳ値に、ＨＳ−ＤＳＣＨ再送信のために１１１１１１をセットすることができ、ここで、Ｎｏｄｅ−ＢまたはｅＮＢは、オリジナルのトランスポートブロックサイズとチャネライゼーション符号セットおよび変調タイプの選択された組合せとの間にマッピングが存在しない可能性がある組合せを選択することができ、または、ＴＢＳビットに、ＨＳ−ＳＣＣＨレス送信の再送信について１１１１１０をセットすることができ、ＴＢＳビットを、ＨＳ−ＳＣＣＨオーダーについて再利用することができる（例えば、８ビットＨＳ−ＳＣＣＨオーダー）。拡張されたオーダービットを、３ビットオーダータイプおよび３ビットオーダーを含む既存の６つのオーダービットと一緒にセカンダリキャリアのアクティブ化および／または非アクティブ化に使用することができる。ＨＳ−ＳＣＣＨオーダー（例えば、８ビットＨＳ−ＳＣＣＨオーダー）を、拡張されたオーダービットと一緒に送信しまたはシグナリングすることができる。
【０１１８】
拡張されたオーダービットを有するＨＳ−ＳＣＣＨオーダーに対応するＡＴＦＲＩ値（すなわち、６ビットＴＢＳ）を、一実施形態で、本明細書で説明するように使用することができる。別の実施形態によれば、ＴＦＲＩ値（すなわち、ＴＢＳビット）に、ＨＳ−ＳＣＣＨオーダーについて１１１１０１をセットすることができ、ＨＳ−ＳＣＣＨを受信する新しいＵＥ手順をもたらすことを、本明細書で後述するように実施し、使用することができる。ＵＥは、ＨＳ−ＳＣＣＨオーダー（例えば、８ビットＨＳ−ＳＣＣＨオーダー）を受信することができ、ＨＳ−ＳＣＣＨオーダーを処理しまたは実行することができ、ＨＳ−ＳＣＣＨオーダーに応答することができる。例えば、ＵＥが、サブフレームｎの監視されるＨＳ−ＳＣＣＨのうちの１つが、ＵＥ宛の一貫する制御情報を搬送することができることを検出することができ、ＨＳ−ＳＣＣＨのＣＲＣがＯＫであることができ、UE_DTX_DRX_EnabledをＴＲＵＥとするか、HS-SCCH_less_mode=1とするか、Secondary_Cell_Enabledが０ではないものとすることができ、「チャネライゼーション符号セット情報」および「変調方式情報」が、ＨＳ−ＳＣＣＨオーダーに対応する場合には、ＵＥは、対応するＨＳ−ＤＰＣＣＨサブフレーム内でＨＡＲＱ−ＡＣＫに割り当てられたスロット内でＡＣＫ情報を送信し、ＨＳ−ＳＣＣＨオーダーを処理することができる。そうでない場合には、ＵＥは、ＨＳ−ＳＣＣＨ上で受信された情報を破棄することができる。
【０１１９】
あるいは、ＵＥは、ＨＳ−ＳＣＣＨオーダーを受信する同一のＵＥ手順を維持することができるが、８ビットＨＳ−ＳＣＣＨオーダーに使用されるＴＢＳの２ビットに関係するＴＦＲＩ値を、本明細書で説明する８ビットＨＳ−ＳＣＣＨオーダーに対応するように定義することができる。例えば、６ビットＨＳ−ＳＣＣＨオーダーのハードコーディングされた一意のＴＦＲＩ値（すなわち、１１１１０１）を搬送する６ビットＴＢＳを、２つの部分として再定義することができ、一方の部分（例えば、第１の部分）は、ｘｔｂｓ，１、ｘｔｂｓ，２、…、ｘｔｂｓ，４と表されるＴＢＳの最初の４ビットを含み、１１１１をセットされ得、他方の部分（例えば、第２の部分）は、ｘｔｂｓ，５、ｔｂｓ，６と表されるＴＢＳの第５のビットおよび第６のビットを含み、２つの拡張されたオーダービットをセットされ得、これを、２ビットの拡張されたオーダータイプまたは８ビットＨＳ−ＳＣＣＨオーダーの拡張されたオーダーと命名することができ、「００」、「０１」、「１０」、および「１１」など、４つの値のいずれとすることもできる。一実施形態によれば、後方互換性のために、現在のキャリアアクティブ化／非アクティブ化を再利用することができるように、２つの拡張されたオーダービットに、８ビットＨＳ−ＳＣＣＨオーダーについて「０１」をセットすることができる（例えば、現在の４Ｃ−ＨＳＤＰＡキャリアアクティブ化／非アクティブ化を８Ｃ−ＨＳＤＰＡに再利用することができる）。
【０１２０】
別の実施形態では、単一のＨＳ−ＳＣＣＨオーダーを使用するのではなく、複数のＨＳ−ＳＣＣＨオーダーを、Ｎ個のバンドルされたまたはペアリングされた搬送を用いるＭＣ−ＨＳＤＰＡでのセカンダリキャリアのアクティブ化／非アクティブ化に使用することができる。
【０１２１】
キャリア構成の個数に基づいて、バンドルされたまたはペアリングされたキャリアを用いる４Ｃ−ＨＳＤＰＡ（すなわち、Secondary_Cell_Enabledが４未満）および８Ｃ−ＨＳＤＰＡ（すなわち、Secondary_Cell_Enabledが４以上）に対応する複数のテーブルを使用することができる。例えば、４Ｃ−ＨＳＤＰＡを構成することができるときに、４Ｃ−ＨＳＤＰＡのセカンダリサービングＨＳ−ＤＳＣＨセルおよびセカンダリアップリンク周波数のアクティブ化および非アクティブ化のオーダーを定義するオーダーマッピングテーブルを使用することができ、バンドルされたまたはペアリングされたキャリアを用いる８Ｃ−ＨＳＤＰＡを構成することができるときに、例えば表３および／または４に示されたオーダーマッピングテーブルを使用することができる。
【０１２２】
バンドルされたまたはペアリングされたキャリアを用いるＭＣ−ＨＳＤＰＡでのキャリアアクティブ化／非アクティブ化に関する方法および実施形態を本明細書で説明する場合があるが、そのような方法および実施形態を、例えばＮ＝Ｍであり、ＭＣ−ＨＳＤＰＡのキャリアをバンドルしもしくはペアリングすることができないとき、またはバンドルされたもしくはペアリングされたキャリアのグループを単一のキャリアと置換するとき、および／またはグループごとの基礎で８Ｃ−ＨＳＤＰＡのセカンダリキャリアのアクティブ化／非アクティブ化に直接に使用される（例えば、ダウンリンク送信でバンドルされたまたはペアリングされたキャリアにまたがる１つのＴｒＢｌｋに物理的にまたがることが発生しない可能性があるが、バンドルされたまたはペアリングされたキャリアを、アクティブ化／非アクティブ化されるキャリアのグループとして扱うことができる）ときに、バンドルされたまたはペアリングされたキャリアを用いないＭＣ−ＨＳＤＰＡ（例えば、８Ｃ−ＨＳＤＰＡ）でのキャリアアクティブ化／非アクティブ化に使用することもできる。例えば、Ｎ＝Ｍ＝８であり、８Ｃ−ＨＳＤＰＡのキャリアがバンドルまたはペアリングされない場合に、可能なＴＴＩ内の２つの許容されるまたはイネーブルされたキャリアアクティブ化／非アクティブ化状態の間で遷移を行うことができる構成されたセカンダリサービングＨＳ−ＤＳＣＨセルおよびセカンダリアップリンク周波数を同時にアクティブ化／非アクティブ化するための２つの拡張されたオーダービットフィールドを用いる単一の８ビットＨＳ−ＳＣＣＨオーダーおよびキャリア構成の個数に基づく２つのルックアップオーダーテーブル（例えば、Secondary_Cell_Enabledが４未満である可能性がある場合のための一方のテーブルと、Secondary_Cell_Enabledが４以上である可能性がある場合のための他方のテーブルと）の使用など、バンドルされたまたはペアリングされたキャリアを用いない８Ｃ−ＨＳＤＰＡに、上述した方法および実施形態を使用することができる。
【０１２３】
一実施形態によれば、独立のＨＳ−ＳＣＣＨオーダー（例えば、２つの独立のＨＳ−ＳＣＣＨオーダー）を送信して、８Ｃ−ＨＳＤＰＡなどのＭＣ−ＨＳＤＰＡの構成されたセカンダリキャリアのうちの１つまたは複数をアクティブ化／非アクティブ化することができる。例えば、ＨＳ−ＳＣＣＨオーダー（例えば、２つ以上のＨＳ−ＳＣＣＨオーダー）を、異なるキャリア（またはサービングＨＳ−ＤＳＣＨセル）上で同時に送信することができ、異なるチャネライゼーション符号を用いて同時に送信することができ、かつ／または異なるサブフレーム上で同時に送信することができる。
【０１２４】
ＨＳ−ＳＣＣＨオーダーを異なるキャリア（またはサービングＨＳ−ＤＳＣＨセル）上で送信することができ、ＵＥが、プライマリキャリア（またはサービングＨＳ−ＤＳＣＨセル）をアクティブにする（例えば、Secondary_Cell_Activeを０にすることができるとき）ことができる場合に、２つのＨＳ−ＳＣＣＨオーダーを異なるキャリア上で同時に送信してはならない（例えば、１つのキャリアがある場合がある）。
【０１２５】
ＨＳ−ＳＣＣＨオーダーを異なるキャリア（またはサービングＨＳ−ＤＳＣＨセル）上で同時に送信することを可能にするために、単一のサブフレームまたはＴＴＩ（transmission time interval：伝送時間間隔）内のＵＥに関する４つまでのセカンダリキャリアのアクティブ化を使用することができる。例えば、２つのＴＴＩを使用して、ＵＥをプライマリキャリアアクティブ状態から、複数のＨＳ−ＳＣＣＨオーダー（例えば、２つのＨＳ−ＳＣＣＨオーダー）を要求し、かつ／または使用することができる複数キャリアアクティブ状態に移動することができる。
【０１２６】
さらに、ＨＳ−ＳＣＣＨオーダーを異なるキャリア（またはサービングＨＳ−ＤＳＣＨセル）上で同時に送信することを可能にするために、通信システム１００などの無線通信システムは、無線通信システムが１ＴＴＩ内でキャリア構成をアクティブ化／非アクティブ化することができ（例えば、任意の２つの許容される状態の間で移動する）、これにより、複数のＨＳ−ＳＣＣＨオーダー（例えば、２つのＨＳ−ＳＣＣＨ）を使用することができるように、少なくとも２つのアクティブキャリアを維持し、提供することができる。
【０１２７】
別の実施形態では、ＵＥが、プライマリキャリアがアクティブな状態で８Ｃ−ＨＳＤＰＡモードであることができるときに、プライマリキャリアアクティブ状態から１つの単一のＴＴＩ内で２つのＨＳ−ＳＣＣＨオーダーを要求することができる複数キャリアアクティブ状態に遷移するために、ＵＥを、例えば第１の受信されたＨＳ−ＳＣＣＨオーダーに対応するタイミングを用いて第１の受信されたＨＳ−ＳＣＣＨオーダーのＨＡＲＱ−ＡＣＫフィールド内で２つのオーダーの受信を肯定応答するＨＡＲＱ−ＡＣＫを送信する前に２つの順次オーダーを受信するように構成することができ、またはＵＥがそうすることができる。ＨＡＲＱ−ＡＣＫを、両方のオーダーを成功して受信することができる場合に送信することができる。ＵＥは、ＵＥを複数のアップリンク周波数を用いて構成することができない場合に、第１のＨＳ−ＳＣＣＨオーダーを配送することができるＨＳ−ＳＣＣＨサブフレームの終りの１２スロット後（または、ＵＥを複数のアップリンク周波数を用いて構成することができる場合にオーダーを配送することができるＨＳ−ＳＣＣＨサブフレームの終りの１８スロット後）に、２つの順次オーダーを適用することができ、そのような変化（例えば、キャリアアクティブ化／非アクティブ化に関するＨＳ−ＳＣＣＨオーダーの受信に起因してアクティブ化されるセルの個数の変化）に関係するＨＳ−ＤＰＣＣＨフォーマット変化などの一時的な挙動は、２つの順次オーダーを適用する前に行われ得る。例示的な実施形態によれば、挙動を、ＵＥが単一のオーダーを受信するときの現在指定されているＵＥ挙動と同一とすることができる。さらに、ＨＳ−ＤＰＣＣＨチャネル符号化方式の対応する変化を、アクティブ化／非アクティブ化を適用することができた後の第１のＨＳ−ＤＰＣＣＨサブフレーム境界でＵＥによって適用することができる。
【０１２８】
図９および図１０に、それぞれ１ＵＬ周波数および２ＵＬ周波数を用いて構成された８Ｃ−ＨＳＤＰＡ内の２つの順次ＨＳ−ＳＣＣＨオーダーを使用することによる１アクティブＤＬキャリア（例えば、アクティブであるプライマリキャリアまたはサービングＨＳ−ＤＳＣＨセル）から複数アクティブＤＬキャリアへの送信タイムラインの例示的な実施形態をそれぞれ示す。図９および図１０に示されているように、第１のＨＳ−ＳＣＣＨオーダーおよび第２のＨＳ−ＳＣＣＨオーダーを、ＴＴＩ  ｎおよびＴＴＩ（ｎ＋１）などの２つの連続するＴＴＩを介して送信することができる。従って、ＵＥは、例えば、ＨＳ−ＰＤＳＣＨデータ復調および復号に使用することができる７．５スロットではなく６．５スロット以内に第２のＨＳ−ＳＣＣＨオーダーを復号することができる。例示的な実施形態によれば、ＨＳ−ＳＣＣＨオーダーを、２つの連続するＴＴＩを介して送信することができ、ＵＥは、復号することができ、ＵＥは、支配することができ、例えばオーダーをどのキャリア上で送りまたは送信することができるのかにかかわりなくまたはこれと独立に８Ｃ−ＨＳＤＰＡセカンダリキャリアのアクティブ化／非アクティブ化のオーダーについて使用され得る。
【０１２９】
あるいは、コンポジットＨＡＲＱ−ＡＣＫ肯定応答順次ＨＳ−ＳＣＣＨオーダー（例えば、２つの順次オーダー）を独立に肯定応答するか第１の受信されたＨＳ−ＳＣＣＨオーダーに対応するタイミングを用いて組み合わせることができるように、複雑な肯定応答プロセスを定義することができる。例えば、４Ｃ−ＨＳＤＰＡでは、ＵＥがＨＳ−ＳＣＣＨオーダーを受信した後に、ＵＥは、対応するＨＳ−ＤＰＣＣＨサブフレーム内のＨＡＲＱ−ＡＣＫに割り当てられたスロット内で、ＡＣＫ情報またはＤＴＸのいずれかを送信することができる。
【０１３０】
一実施形態によれば、ＵＥは、本明細書で開示される方法のうちの１つまたは複数によって順次ＨＳ−ＳＣＣＨオーダーを肯定応答することができるコンポジットＨＡＲＱ−ＡＣＫを報告することができる。例えば、一実施形態では、コンポジットＨＡＲＱ−ＡＣＫ（例えば、肯定応答され得る）を、判断基準（例えば、コンポジットＨＡＲＱ−ＡＣＫ判断基準）に基づいて、２つの個々のＨＡＲＱ−ＡＣＫ肯定応答および２つの順次ＨＳ−ＳＣＣＨオーダーに関して判定することができる。判断基準は、ＨＳ−ＳＣＣＨオーダー（例えば、２つの順次ＨＳ−ＳＣＣＨオーダー）のうちの少なくとも１つを例えばＵＥによって成功して受信することができることを含むことができる。ＨＳ−ＳＣＣＨオーダーのうちの少なくとも１つを成功して受信することができる場合には、ＵＥは、ＡＣＫ情報を送信することができる。ＨＳ−ＳＣＣＨオーダーの少なくとも１つを成功して受信することができない場合には、ＵＥは、表５に示された第１および第２のＨＳ−ＳＣＣＨオーダーを肯定応答するＨＡＲＱ−ＡＣＫの「ＯＲ」演算を行うことによって、コンポジットＨＡＲＱ−ＡＣＫ肯定応答を導出するのに使用することができるＤＴＸ（Discontinuous Transmission）を呼び出すことができる。判断基準は、ＨＳ−ＳＣＣＨオーダー（例えば、２つの順次ＨＳ−ＳＣＣＨオーダー）のそれぞれを例えばＵＥによって成功して受信することができることを含むこともできる。ＨＳ−ＳＣＣＨオーダーのそれぞれを成功して受信することができる場合に、ＵＥは、ＡＣＫ情報を送信することができる。ＨＳ−ＳＣＣＨオーダーのそれぞれを成功して受信することができない場合に、ＵＥは、表６に示された第１および第２のＨＳ−ＳＣＣＨオーダーを肯定応答するＨＡＲＱ−ＡＣＫの「ＡＮＤ」演算を行うことによって、コンポジットＨＡＲＱ−ＡＣＫを導出するのに使用することができるＤＴＸを呼び出すことができる。
【０１３１】
【表５】
0005634625.tif 000009
【０１３２】
【表６】
0005634625.tif 000010
【０１３３】
表５および表６に示されたHARQ-ACK_compositeを使用して、ＵＥによって報告／送信されるコンポジットＨＡＲＱ−ＡＣＫ肯定応答を表すことができる。さらに、表５および表６に示されたＨＡＲＱ−ＡＣＫ１およびＨＡＲＱ−ＡＣＫ２を使用して、第１および第２の受信されたＨＳーＳＣＣＨオーダーに対するコンポジットＨＡＲＱ−ＡＣＫ肯定応答を表すことができる。
【０１３４】
別の実施形態によれば、ＡＣＫ／ＡＣＫ、ＤＴＸ／ＡＣＫ、ＡＣＫ／ＤＴＸ、およびＤＴＸ／ＤＴＸなどの４つのコンポジットＨＡＲＱ−ＡＣＫ肯定応答を、プライマリストリームおよびセカンダリストリームをそれぞれ第１および第２のＨＳ−ＳＣＣＨオーダーにマッピングすることによる二重ストリームＭＩＭＯ構成のＨＡＲＱ−ＡＣＫ符号語の再解釈、ＨＡＲＱ−ＡＣＫフィールドの拡散係数を２つ減らすこと、およびそれぞれＨＳ−ＳＣＣＨオーダーまたはＨＳ−ＰＤＳＣＨ  ＨＡＲＱ−ＡＣＫ肯定応答報告についてさらに最適化することができるコードブック内の４つの符号語を導入することのうちの１つまたは複数によって報告する（例えば、明示的に）ことができる。前述を使用する４つのコンポジットＨＡＲＱ−ＡＣＫ肯定応答の報告は、例えば、特定のＨＡＲＱ−ＡＣＫ検出性能が２から４へのコードブックサイズの増加に起因して維持されることが望まれる可能性がある場合に、追加の電力を犠牲にしてｅＮＢまたはＮｏｄｅＢとＵＥとの間の同期化を可能にすることができる。
【０１３５】
一実施形態では、単一のアクティブキャリアを、例えば８Ｃ−ＨＳＤＰＡに、本明細書で説明するように二重ＨＳ−ＳＣＣＨオーダー（例えば、二重シーケンシャルＨＳ−ＳＣＣＨオーダー）を可能にするために適用することができる。例えば、ＵＥを、動作の８Ｃ−ＨＳＤＰＡモードで構成することができる場合に、そのＵＥは、キャリアアクティブ化またはキャリア非アクティブ化に関する二重オーダーを受信することができる。従って、キャリアアクティブ化／非アクティブ化オーダーを受信するＵＥは、追加のアクティブ化／非アクティブ化情報を含む可能性がある別の後続の（または第２の）オーダーを受信すると期待することができる。その後、ＵＥは、両方のオーダーを正しく受信することができる場合に、最初のオーダーをＡＣＫすることができる。第１のオーダーが、キャリアアクティブ化／非アクティブ化オーダーではない場合には、ＵＥは、第１のオーダーを処理することができ、その受信に基づいて第１のオーダーをＡＣＫしまたはＤＴＸすることができる。
【０１３６】
ＵＬ  ＣＬＴＤ／ＭＩＭＯを、通信システム１００などの無線通信システムのＵＥ内の１つまたは複数のコンポーネントもしくは複数のアンテナによってアクティブ化および／または非アクティブ化することもできる。一実施形態によれば、ＵＬ  ＣＬＴＤ／ＭＩＭＯ動作を、より上の層のシグナリングメッセージを介して使用可能／使用不能にする（例えば、アクティブ化／非アクティブ化する）ことができる。例えば、ＩＥを、ＲＲＣ制御シグナリングメッセージ上で導入することができる。ＲＮＣは、ＩＥを含むことができるＲＲＣ制御シグナリングメッセージをＵＥに送信しまたは送ることができる。その後、ＵＥは、ＩＥを含むことができるＲＲＣメッセージからＵＬ  ＣＬＴＤ／ＭＩＭＯモード構成情報を抽出することができる。
【０１３７】
さらに、より上の層（例えば、ＲＲＣメッセージ）からＵＥ内およびＮｏｄｅ  Ｂ内の物理層へシグナリングすることができる「ＵＬ  ＣＬＴＤ（またはＭＩＭＯもしくはＣＬＴＤ／ＭＩＭＯ）構成の状況」などのパラメータを、提供し、使用することができる。パラメータ「ＵＬ  ＣＬＴＤ（またはＭＩＭＯもしくはＣＬＴＤ／ＭＩＭＯ）構成の状況」を、ＵＬ  ＣＬＴＤ（またはＭＩＭＯもしくはＣＬＴＤ／ＭＩＭＯ）モードのディスエーブルまたはイネーブルを示すことができ、またはＵＬ  ＣＬＴＤ（またはＭＩＭＯもしくはＣＬＴＤ／ＭＩＭＯ）の非アクティブ化またはアクティブ化を示すことができる、それぞれ０または１と等しいバイナリ値とすることができる。
【０１３８】
ＵＬ  ＣＬＴＤ／ＭＩＭＯを、Ｌ１  ＨＳ−ＳＣＣＨオーダーによってアクティブ化／非アクティブ化することもできる。Ｌ１  ＨＳ−ＳＣＣＨオーダーを使用してＵＬ  ＣＬＴＤ／ＭＩＭＯをアクティブ化／非アクティブ化するために、Ｌ１  ＨＳ−ＳＣＣＨオーダーの１ビットを使用して、ＵＬ  ＣＬＴＤをアクティブ化／非アクティブ化することができる。使用することができるＬ１  ＨＳ−ＳＣＣＨオーダーのビットは、ＵＬ  ＣＬＴＤのアクティブ化または非アクティブ化を示すことができる、それぞれ１または０と等しい２進値とすることができる。ＵＥをＵＬ  ＭＩＭＯを用いて構成することができるときに、Ｌ１  ＨＳ−ＳＣＣＨオーダーのビットを使用して、送信ダイバーシティをアクティブ化／非アクティブ化する（かつ、１送信アンテナ動作に戻る）ことができ、このビットを使用して、ＵＬ  ＣＬＴＤとＵＬ  ＭＩＭＯとの両方を一緒にアクティブ化／非アクティブ化することができる。
【０１３９】
例示的な実施形態によれば、Ｌ１  ＨＳ−ＳＳＣＨオーダーのビットを１とすることができるときに、ＵＬ送信ダイバーシティ（並びにＵＬ  ＣＬＴＤおよびＭＩＭＯ）をアクティブ化することができる。さらに、Ｌ１  ＨＳ−ＳＣＣＨオーダーのビットを１とすることができるときに、ＵＬ  ＣＬＴＤまたはＵＬ  ＭＩＭＯのいずれかを、スケジューリングされたまたは構成されたストリームの個数に基づいてアクティブ化する（例えば、暗黙のうちに）ことができる。単一のストリームまたは二重ストリームをスケジューリングしまたは構成することができるときに、それぞれＵＬ  ＣＬＴＤまたはＵＬ  ＭＩＭＯをアクティブ化することができる。別の実施形態では、このビットを０と等しくすることができるときに、ＵＬ送信ダイバーシティ（および例えばＵＬ  ＣＬＴＤとＭＩＭＯとの両方）を、例えばＵＥがＵＬ  ＣＬＴＤモードまたはＵＬ  ＭＩＭＯモードのいずれかであることができる場合に、非アクティブ化することができる。
【０１４０】
別の実施形態によれば、Ｌ１  ＨＳ−ＳＣＣＨオーダーを使用してＵＬ  ＣＬＴＤ／ＭＩＭＯをアクティブ化／非アクティブ化するために、Ｌ１  ＨＳ−ＳＣＣＨオーダーの２ビットを使用することができる。例えば、第１のビットを、ＵＬ  ＣＬＴＤアクティブ化／非アクティブ化を制御する（または、ＵＥをＵＬ  ＭＩＭＯモードで構成することができるときに第１のまたはプライマリストリームのアクティブ化／非アクティブ化を制御する）のに使用することができ、第２のビット（または残りのビット）を、ＵＥをＵＬ  ＭＩＭＯモードで構成することができるときに第２のストリームのアクティブ化／非アクティブ化を制御するのに使用することができる。
【０１４１】
８Ｃ−ＨＳＤＰＡでＵＬ  ＣＬＴＤ／ＭＩＭＯのアクティブ化／非アクティブ化のためにＨＳ−ＳＣＣＨオーダーを実施するために、現在使用可能なＨＳ−ＳＣＣＨオーダーマッピングテーブルを、例えばバンドルされたまたはペアリングされたキャリアを介するアクティブ化／非アクティブ化でのキャリア削減を用いて８Ｃ−ＨＳＤＰＡで再利用しまたは再解釈することができる。さらに、１ビットもしくは２ビットなどのビットまたはビットのタイプの可用性を、オーダータイプおよび／またはＵＬ  ＣＬＴＤ／ＭＩＭＯをアクティブ化／非アクティブ化するオーダーから判定することができる。例えば、１ビットを、その可用性と一緒に判定することができる。一実施形態では、ビットを、ＵＬ  ＣＬＴＤ／ＭＩＭＯアクティブ化（１ビット）、ただしｘｏｄｔ，１＝ｘＵＬ＿ＣＬＴＤ／ＭＩＭＯ，１と定義することができるオーダータイプのＭＳＢ（最上位ビット）とすることができ、ｘＵＬ＿ＣＬＴＤ／ＭＩＭＯ，１＝「０」の場合には、ＨＳ−ＳＣＣＨオーダーを、ＵＬ  ＣＬＴＤ／ＭＩＭＯ非アクティブ化オーダーとすることができ、ｘＵＬ＿ＣＬＴＤ／ＭＩＭＯ，１＝「１」の場合には、ＨＳ−ＳＣＣＨオーダーを、ＵＬ  ＣＬＴＤ／ＭＩＭＯアクティブ化オーダーとすることができる。別の実施形態によれば、ビットを、ＵＬ  ＣＬＴＤ／ＭＩＭＯアクティブ化（１ビット）、ただしｘｏｒｄ，３＝ｘＵＬ＿ＣＬＴＤ／ＭＩＭＯ，１と定義することができる、オーダータイプ（ｘｏｄｔ，１，ｘｏｄｔ，２，ｘｏｄｔ，３）＝「０１０」のときのオーダーのＬＳＢとすることができ、ｘＵＬ＿ＣＬＴＤ／ＭＩＭＯ，１＝「０」の場合には、ＨＳ−ＳＣＣＨオーダーをＵＬ  ＣＬＴＤ／ＭＩＭＯ非アクティブ化オーダーとすることができ、ｘＵＬ＿ＣＬＴＤ／ＭＩＭＯ，１＝「１」の場合には、ＨＳ−ＳＣＣＨオーダーをＵＬ  ＣＬＴＤ／ＭＩＭＯアクティブ化オーダーとすることができる。
【０１４２】
ＵＬ  ＣＬＴＤ／ＭＩＭＯのアクティブ化／非アクティブ化に使用することができる２ビットの可用性を判定することもできる。２ビットを、オーダータイプを（ｘｏｄｔ，１，ｘｏｄｔ，２，ｘｏｄｔ，３）＝「０１０」とすることができるときに、オーダーの最後の２ビット（ｘｏｒｄ，２，ｘｏｒｄ，３）とすることができる。例えば、上の表３および表４に示された未使用（予約済み）コマンド（例えば、およびそれに関連する２ビット）を、ＵＬ  ＣＬＴＤ／ＭＩＭＯのアクティブ化／非アクティブ化に使用することができる。
【０１４３】
別の実施形態によれば、８Ｃ−ＨＳＤＰＡでＵＬ  ＣＬＴＤ／ＭＩＭＯのアクティブ化／非アクティブ化および／またはセカンダリキャリアのアクティブ化／非アクティブ化のためにＨＳ−ＳＣＣＨオーダーを実施するために、ＨＳ−ＳＣＣＨオーダーシグナリング能力を、オーダービットをより大きい値に拡張する（例えば、現在使用可能な６ビットを例えば７ビットまたは８ビットに増やす）ことによって高めることができる。そのような実施形態では、ＵＬ  ＣＬＴＤのアクティブ化／非アクティブ化の１ビット方法または２ビット方法を、それぞれ追加の１つまたは２つのセカンダリキャリアのアクティブ化／非アクティブ化として扱うことができ、従って、ＭＣ−ＨＳＤＰＡのアクティブ化／非アクティブ化に使用される方法を、Ｍを２つ増やすことによって再利用することができる。
【０１４４】
ＵＥアンテナ動作を、１つまたは複数のＨＳ−ＳＣＣＨオーダーを介して制御することもできる。例えば、ＵＬ  ＣＬＴＤ動作および／またはＵＬ  ＭＩＭＯ動作のアクティブ化／非アクティブ化に加えて、ＵＥでのアンテナ動作を制御することもできる。表７Ａは、１つまたは複数のＨＳ−ＳＣＣＨオーダーを介して制御できるＵＥでの例示的なＵＬ  ＣＬＴＤアンテナ構成を含む。
【０１４５】
【表７】
0005634625.tif 000011
【０１４６】
例示的な実施形態によれば、二重ストリームＵＬ  ＭＩＭＯ動作のアクティブ化および／または非アクティブ化を、表７Ａに示された構成と一緒に使用することもできる。例えば、二重ストリームＭＩＭＯ動作を、表７Ａに示された構成１、２または３に適用可能とすることができる。
【０１４７】
さらに、表７Ａに示された構成１〜５などの構成または構成のサブセットを、例えば単一ストリームＭＩＭＯ動作および／または二重ストリームＭＩＭＯ動作に使用しまたは適用可能とすることもできる。例えば、ＵＬ  ＣＬＴＤまたは単一ストリームＭＩＭＯについて、表７Ａに示された構成１、４または５などの構成のサブセットを使用することができる。さらに、ＵＬ  ＣＬＴＤまたは単一ストリームＭＩＭＯについて、表７Ａに示された構成１、４、２または３などの構成のサブセットを使用することができる。また、ＵＬ  ＣＬＴＤまたは単一ストリームＭＩＭＯについて、表７Ａに示された構成１および４などの構成のサブセットを使用することができる。一実施形態では、ＵＬ  ＭＩＭＯを構成しまたは使用可能にすることができるときに、表７Ａに示された構成１、２または３を、アップリンクＭＩＭＯと組み合わせて使用することができる。
【０１４８】
本明細書では、ＨＳ−ＳＣＣＨオーダービット（１つまたは複数）を受信し、復号するシステムおよび／または方法をも開示し、例えばＵＥでの、構成をマッピングするシステムおよび方法を説明する。例示的な実施形態によれば、ＨＳ−ＳＣＣＨオーダービットと定義することができる（例えば、ＨＳ−ＳＣＣＨオーダー上で搬送することができるビット）オーダービットｘを提供することができる。ＵＥを、より上の層のシグナリングを介してそのようなオーダービットｘを受信するように構成することができる。
【０１４９】
一実施形態では、単一のビットまたはオーダーを、構成ごとに使用することができる。例えば、ＵＥアンテナ動作（例えば、ＵＬ  ＣＬＴＤ／ＭＩＭＯのための）を制御するためのＵＥアンテナ構成ベースのＨＳ−ＳＣＣＨオーダーを、単一のビットを使用して提供することができる。例示的な実施形態によれば、ＨＳ−ＳＣＣＨオーダービットマッピングを、使用することができる各構成（例えば、表７Ａの項目のサブセット）を１つのオーダービットに割り当てることができるようなものとすることができる。そのような実施形態では、使用される構成ビットの単一のビットを、一度にセットすることができる。そのような特定の制限は、ＨＳ−ＳＣＣＨオーダーメッセージに頑健さを追加することができ、信頼性を改善することもできる。
【０１５０】
別の例示的な実施形態では、表７Ａに示された５つの構成のそれぞれを使用することができ、５ビットを使用して、特定の構成を使用可能にすることができる。そのようなマッピングを、例えば、ｘｏｄｔ，１に１をセットし、残りのオーダービット（５ビットすなわち  ｘｏｄｔ，２；ｘｏｄｔ，３；ｘｏｒｄ，１；ｘｏｒｄ，２；ｘｏｒｄ，３）を例えば表７Ａに示された５つの構成にマッピングすることによって、現在使用可能な６ビットのオーダーマッピングテーブルを使用して実施することができる。マッピングは、ｘｏｄｔ，１に０をセットすることによって、事前に定義されたまたは指定されたオーダーを割り当てることができる。さらに、単一ビット対構成マッピングを、８つのオーダービットのうちの５つを選択することによって、８ビットオーダーマッピングテーブル内で実施することができる。５つの選択されたオーダービットを、事前に定義されたまたは指定されたオーダーで表７Ａに示された５つの構成にマッピングすることができる。
【０１５１】
別の実施形態によれば、ＵＬ  ＭＩＭＯをアクティブ化するための追加のビットを使用することができる。例えば、６ビットを、ＵＬ  ＣＬＴＤ／ＵＬ  ＭＩＭＯ、様々な制御チャネルおよびデータチャネル、様々なストリームまたはキャリアなどを使用可能にするためにＵＥによって使用することができる構成の組合せをシグナリングするのに使用することができる（例えば、構成ごとに１ビットの５ビットと、ＵＬ  ＭＩＭＯのアクティブ化／非アクティブ化のための第６のビット（追加ビット）と）。一実施形態では、ビットの組合せのサブセットを、許容せず、使用可能にせず、ＵＥによって使用されないものとすることができる。例えば、Ｓ−ＤＰＣＣＨをアクティブ化せずにＵＥを構成することができるときに（例えば、表７Ａに示された構成４および／または構成５）、ＵＬ  ＭＩＭＯがアクティブ化されることを許容されないものとすることができる。
【０１５２】
ＵＬ  ＭＩＭＯのアクティブ化に使用することができる追加ビットを、８ビットオーダーマッピングテーブル内で実施することができる。例えば、８ビットオーダーマッピングを、ＴＢＳの２ビット、例えば第５および第６のＴＢＳビット（ｘｔｂｓ，５，ｘｔｂｓ，６）に、ＤＴＸ、ＤＲＸ、ＨＳ−ＳＣＣＨレス動作のアクティブ化／非アクティブ化のＨＳ−ＳＣＣＨオーダーを示すために使用することができる（例えば、既に使用されている）（ｘｔｂｓ，５，ｘｔｂｓ，６）＝「０１」などの他の目的並びにＨＳ−ＤＳＣＨサービングセル変化とセカンダリサービングＨＳ−ＤＳＣＨセルおよびセカンダリアップリンク周波数のアクティブ化および非アクティブ化のオーダーとに既に使用されている可能性がある値とは異なるものとすることができる事前定義の値をセットすることによって、実施することができる。従って、（ｘｔｂｓ，５，ｘｔｂｓ，６）に、「００」、「１０」、または「１１」などの別の値をセットして、ＵＬ  ＣＬＴＤおよび／またはＵＬ  ＭＩＭＯに関するアンテナ動作を制御するためのオーダーを示すことができる。
【０１５３】
別の例示的な実施形態では、各許容される構成（例えば、表７Ａに示された構成のサブセット）のアクティブ化および／または非アクティブ化を、ＤＴＸ、ＤＲＸ、ＨＳ−ＳＣＣＨレス動作のアクティブ化／非アクティブ化などの他の目的並びにＨＳ−ＤＳＣＨサービングセル変化とセカンダリサービングＨＳ−ＤＳＣＨセルおよびセカンダリアップリンク周波数のアクティブ化および非アクティブ化とに関するオーダーに使用されない独自のＨＳ−ＳＣＣＨオーダーによって制御することができる。独自のＨＳ−ＳＣＣＨオーダーを、６ビットまたは８ビットのいずれかのオーダーマッピングテーブルで実施することができる。例えば、構成のアクティブ化および／または非アクティブ化を２つの異なるオーダーを使用して実施することができる場合に、構成（または状態）ごとに１つのオーダーを使用して、必要なオーダーの総数を、許容されるまたは使用可能な構成の個数の２倍とすることができる。あるいは、構成のアクティブ化および／または非アクティブ化が１つのトグルされる（例えば、２状態）オーダーを使用する場合に、オーダーの総数を、許容されるまたは使用可能な構成の個数と同一とすることができる。一実施形態によれば、６ビットオーダーマッピングテーブルに４４個（可能な６４個から使用済みの１２個を引き、予約済みの８個を引く）の未使用のオーダーがあるものとすることができ、８ビットオーダーマッピングテーブルに５６個（可能な２５６個から使用済みの１９２個を引き、予約済みの８個を引く）の未使用のオーダーがあるものとすることができる。従って、構成あたり単一のオーダーを、そのような使用可能な未使用のオーダーから選択することができる。追加の実施形態によれば、以下で説明する他の手法を使用することもできる。
【０１５４】
ＵＥアンテナの制御並びにＵＬ  ＣＬＴＤ／ＵＬ  ＭＩＭＯ動作のアクティブ化および／または非アクティブ化をＵＥの状態（例えば、現在の状態）に基づくものとすることができるように、構成をマッピングすることもできる。ＵＥは、ｅＮＢまたはＮｏｄｅＢから動作すべき状態（または構成）の表示（indication）を受信することができ、その表示に基づいて、その表示に関連する構成を判定することができ、状態（または構成）を適用することができる。例えば、ＵＬ  ＣＬＴＤおよび／またはＭＩＭＯの制御（例えば、アクティブ化／非アクティブ化）（またはＵＬ  ＣＬＴＤアクティブ化状態の切替え）に関する状態ベースのＨＳ−ＳＣＣＨオーダーマッピングを、状態を表すために複数のビットをシグナリングすることができるように、ＨＳ−ＳＣＣＨオーダーに提供することができる。具体的には、状態（または構成）の総数をＫ（例えば、Ｋを整数とすることができる）とすることができる場合に、状態（または構成）を、
【０１５５】
【数４】
0005634625.tif 000012
【０１５６】
（例えば、（ｌｏｇ２（Ｋ））をｃｅｉｌｉｎｇする、またはｌｏｇ２（Ｋ）を最も近い整数に切り上げる）ビットによって表すことができる。次に、ＨＳ−ＳＣＣＨオーダービットを使用して、状態の表示をＵＥに送信することができる。例えば、６ビットまたは８ビットのオーダーマッピングテーブル内のオーダービット（ｘｏｒｄ，１，ｘｏｒｄ，２，ｘｏｒｄ，３）またはオーダータイプ（ｘｏｄｔ，１，ｘｏｄｔ，２，ｘｏｄｔ，３）を使用して、状態をＵＥに示すことができる。８ビットオーダーマッピングテーブル内のＴＢＳフィールドからの拡張されたオーダービット（ｘｔｂｓ，５，ｘｔｂｓ，６）を、状態をＵＥに送信し、示すのに使用することもできる。オーダービットと状態との間のマッピングを、一実施形態によれば、事前定義のオーダーまたは指定されたオーダーであるものとすることができる。
【０１５７】
ＵＥを、オーダービットの組合せが特定のＵＥアンテナ構成／状態を示す、ＨＳ−ＳＣＣＨオーダーを受信するように構成することができる。例えば、表７Ａの構成１、４および／または５を、表８に示されているように２つのオーダービットを使用して符号化することができる。２つのオーダービットを、特定のＵＥアンテナ構成／状態を示すのに使用される構成にマッピングすることができる。表８に示されたマッピングのほかに、以下の表９〜表１０のマッピングを使用して、状態または構成を示すこともできる。
【０１５８】
【表８】
0005634625.tif 000013
【０１５９】
マッピング（例えば、表８〜表１０に示された）を、ＵＬ  ＣＬＴＤ動作を可能にする１ビット（例えば、オーダービット１）およびＵＬ  ＣＬＴＤをアクティブ化することができないときに使用すべきアンテナを示す別のビット（例えば、オーダービット２）を有するものと解釈することもできる。
【０１６０】
別の例示的な実施形態によれば、例えば、マッピングテーブルの第４エントリを使用して、ＵＬ  ＭＩＭＯ動作をアクティブ化することができる。表９に示されているように、そのような構成または状態（例えば、ＵＬ  ＭＩＭＯ動作のアクティブ化）を、「１１」などの２ビットを使用して実施することができる。
【０１６１】
【表９】
0005634625.tif 000014
【０１６２】
ＵＬ  ＭＩＭＯ動作を、例えば、ＵＬ  ＭＩＭＯをアクティブ化することができ、ＵＥが１つまたは２つのストリームを送信することができるときに、ＵＬ  ＣＬＴＤ動作のスーパーセットとすることができる。さらに、ＵＬ  ＣＬＴＤは、単一ストリームをチャネルによってサポートできるときに、ＵＬ  ＭＩＭＯ動作のフォールバックモードになることができる。
【０１６３】
既存のＨＳ−ＳＣＣＨオーダーフレーム内でＣＬＴＤおよび／またはＭＩＭＯの制御シグナリングを実施するために２つのＨＳ−ＳＣＣＨオーダービットを提供するために、未使用のＨＳ−ＳＣＣＨオーダータイプ／オーダービット組合せを使用することができる。例えば、オーダータイプｘｏｄｔ，１，ｘｏｄｔ，２，ｘｏｄｔ，３＝「０１１」が未使用である可能性がある。そのようなオーダータイプｘｏｄｔ，１，ｘｏｄｔ，２，ｘｏｄｔ，３＝「０１１」を、例えば、３つの使用可能なオーダービットのうちの２つと組み合わせて使用することができ、ＵＥがオーダータイプ「０１１」を復号するときに、関連するオーダービット上で搬送される情報を、例えば表８または表９に従ってマッピングすることができる。
【０１６４】
表７ＡのＵＬ  ＣＬＲＴアクティブ化状態を制御／切り替える５つの構成の別の例を、未使用のＨＳ−ＳＣＣＨオーダータイプｘｏｄｔ，１，ｘｏｄｔ，２，ｘｏｄｔ，３＝「０１１」と組み合わされた３つのＨＳ−ＳＣＣＨオーダービット（ｘｏｒｄ，１，ｘｏｒｄ，２，ｘｏｒｄ，３）によって実施することができる。表７Ｂに、例えば、ＵＬ  ＣＬＴＤ状態の間でＵＥを制御しまたは切り替えるためにＵＥまたは通信システム１００などの無線通信システムの他のコンポーネントによって使用され得る６ビットオーダーマッピング内の５つのオーダーの例示的な実施形態を示す。例示的な実施形態によれば、ＵＥは、ＨＳ−ＳＣＣＨオーダー上で搬送されるオーダータイプおよびオーダーマッピング（またはオーダービット）を受信することができ、受信されたオーダータイプおよびオーダーマッピングをマッピングテーブル内のオーダータイプおよびオーダーマッピングと比較することができ、受信されたオーダータイプおよびオーダーマッピング（またはオーダービット）がマッピングテーブル内のオーダータイプおよびオーダーマッピング（またはオーダービット）の１つと一致する場合にマッピングテーブル内のＵＬ  ＣＬＴＤアクティブ化状態のいずれにもアクセスすることができる。
【０１６５】
【表１０】
0005634625.tif 000015
【０１６６】
オーダータイプ「０１０」を有する現在未使用の組合せを使用して、既存のＨＳ−ＳＣＣＨオーダーフレーム内でのＣＬＴＤおよび／またはＭＩＭＯの制御シグナリングを実施するための２つのＨＳ−ＳＣＣＨオーダービットを提供することもできる。そのような実施形態では、ＵＥが、ｘｏｒｄ，１＝１のオーダータイプｘｏｄｔ，１，ｘｏｄｔ，２，ｘｏｄｔ，３＝「０１０」を復号するときに、２つの他のオーダービットｘｏｒｄ，２およびｘｏｒｄ，３を、表８または表９に示されたオーダービット１およびオーダービット２に従ってマッピングすることができる。
【０１６７】
別の例示的な実施形態では、１つのオーダービットを使用してＵＬ  ＣＬＴＤのアクティブ化および非アクティブ化をシグナリングすることができる。さらに、実際の構成を、状態ベースの手法でビットの異なるサブセットを使用してシグナリングすることができる。例えば、オーダービット１を、ＵＬ  ＣＬＴＤ動作アクティブ化ビットとすることができ、オーダービット１に１がセットされているときにＵＬ  ＣＬＴＤをアクティブ化し、それ以外のときに非アクティブ化することができる（例えば、オーダービット１に０がセットされているものとすることができる場合に、ＵＥを、ＵＬ  ＣＬＴＤを完全に非アクティブ化することができるように構成４を用いて構成することができる）。そのような実施形態では、オーダービット２およびオーダービット３を、未使用で予約済みとすることができる。
【０１６８】
【表１１】
0005634625.tif 000016
【０１６９】
ＵＬ  ＣＬＴＤ、アンテナ選択、Ｓ−ＤＰＣＣＨアクティブ化、および／またはＵＬ  ＭＩＭＯの別々のビットを、シグナリングし、１つまたは複数の構成を示すのに使用することができる。例えば、ＵＥを、４つまでのオーダービットを受信するように構成することができる。４つのオーダービットのうちの１ビットを使用して、制御の各態様をシグナリングすることができる。例えば、オーダービット１は、ＵＬ  ＣＬＴＤビットとすることができ、ＵＬ  ＣＬＴＤアクティブ化／非アクティブ化を制御することができ、オーダービット２は、レガシチャネルがどのアンテナで送信することができるのか（例えば、ＵＬ  ＣＬＴＤが非アクティブ化されるとき）を制御することができるアンテナビットとすることができ、オーダービット３は、Ｓ−ＤＰＣＣＨビットとすることができ、Ｓ−ＤＰＣＣＨのアクティブ化／非アクティブ化を制御することができ、オーダービット４は、ＵＬ  ＭＩＭＯビットとすることができ、ＵＬ  ＭＩＭＯ動作を制御することができるなどである。
【０１７０】
一実施形態では、制限された構成を示すオーダーを無視しまたは禁止する（例えば、ＵＥによって）ことができるように、オーダービット組合せの１つまたは複数の制限または制限された状態を提供しまたは実施することができる。例えば、ＵＥは、ＵＬ  ＣＬＴＤが非アクティブ化されている可能性がある（例えば、オーダービット１に０がセットされている可能性がある）場合に（またはその条件で）、アンテナビット（オーダービット２）およびＳ−ＤＰＣＣＨビット（オーダービット３）を考慮することができる。さらに、ＵＬ  ＣＬＴＤを非アクティブ化することができるときにＵＬ  ＭＩＭＯビットに０をセットすることができ、ＵＬ  ＣＬＴＤをアクティブ化できるときに、ＵＥがＵＬ  ＣＬＴＤの制限された状態を無視できるように、ＵＬ  ＭＩＭＯビットに１をセットすることができる。
【０１７１】
ダウンリンクシグナリングを使用して、ＵＥプリコーディングテーブルを、例えばＨＳ−ＳＣＣＨオーダーシグナリングを介して指定し、かつ／または制御することもできる。構成シグナリングに使用されるＨＳ−ＳＣＣＨオーダーの個数を減らすために、各コードブックがアンテナ動作の１クラスに対応することのできるダウンリンクシグナリングの複数コードブック方式を、本明細書で提供し、使用することができる。
【０１７２】
図１１に、ダウンリンクシグナリングに、したがってＵＥプリコーディングテーブルを指定し、かつ／または制御するのに使用することができる複数コードブック方式の例示的な実施形態を示す。図１１に示されているように、コードブックの各クラスは、異なる符号語更新レートで動作することができる。コードブック切替えが発生するとき、例えば切替えがＨＳ−ＳＣＣＨオーダーを介してシグナリングされる可能性があるときに、やがて来るアップリンク送信に新しいコードブックを適用する前に、電力オフセットをプライマリＤＰＣＣＨに適用することができる。
【０１７３】
複数コードブック方式に含まれるコードブックを切り替えて、ダウンリンクシグナリングを制御することができる。一実施形態では、異なるコードブックの間の切替えを、ＨＳ−ＳＣＣＨオーダー（１つまたは複数）によって制御することができる。
【０１７４】
図１２に、本明細書で使用できるデュアルコードブック切替え方式の例示的な実施形態を示す。図１２に示されているように、位相のみのコードブックを使用して、通常のＣＬＴＤ動作をサポートすることができ、アンテナ切替えコードブックを使用して、アンテナ切替え動作をサポートすることができる。アンテナ切替えコードブックは、例えば、２つまたは４つの符号語を含むことができる。アンテナ切替え動作に関して、構成２または構成３をサポートすることができるが、他の構成をサポートすることができない場合には、アンテナ切替えコードブックは、２つの符号語を含むことができる。別の例では、構成２、３、４および５をサポートすることができる場合に、アンテナ切替えコードブックは、４つの符号語を含むことができる。例えば、４つの符号語を、
【０１７５】
【数５】
0005634625.tif 000017
【０１７６】
と定義することができる。アンテナ切替えコードブックは、位相のみのコードブックより低い符号語更新レートで動作することもできる。そのような実施形態を、２つのＨＳ−ＳＣＣＨオーダーを用い、使用して実施することができる。
【０１７７】
別の実施形態によれば、３コードブック切替え方式を実施し、使用することができる。図１３に、本明細書で使用することができる３コードブック切替え方式の例示的な実施形態を示す。図１３に示されているように、例えば、位相のみのコードブックを、通常のＣＬＴＤ動作に使用することができる。さらに、アンテナ切替えコードブックの一方を、Ｓ−ＤＰＣＣＨ（例えば、構成２および構成３）の送信用とすることができ、他方のアンテナ切替えコードブックを、Ｓ−ＤＰＣＣＨなし（例えば、本明細書で説明する構成４および構成５）の送信用とすることができる、２アンテナ切替えコードブックを使用することができる。両方のアンテナ切替えコードブックで、２つの符号語を、各コードブック内で提供することができる。
【０１７８】
ＵＥが、コードブックを切り替えるようにＵＥに指示するＨＳ−ＳＣＣＨオーダー（例えば、図１２および図１３に示されているように）を受信した後に、コードブック切替え動作を、そのオーダーに対応するＨＡＲＱ−ＡＣＫを含むＨＳ−ＤＰＣＣＨサブフレームの先頭と一致するかそれに続く最も早いＥ−ＤＣＨ  ＴＴＩ境界に、ＵＥによって適用することができる。適用すべきプリコーディング重みを、それに応答するダウンリンクＦ−ＰＣＩＣＨまたはＤＰＣＣＨによって示すことができる。現在のＤＰＣＣＨ送信電力に関する電力オフセットを、例えば新しいコードブックが初めて適用される可能性があるときに、やがて来るＵＬ  ＤＰＣＣＨ送信に適用することもできる。ＵＥは、新しいＰＣＩ更新レート／サイクルに従い始めることもできる。
【０１７９】
別の例示的な実施形態では、セカンダリキャリアのアクティブ化／非アクティブ化に関するオーダーマッピングテーブルを、８Ｃ−ＨＳＤＰＡに関して定義することができる。例えば、８Ｃ−ＨＳＤＰＡでは、単一のオーダーに、セカンダリキャリアのアクティブ化／非アクティブ化に使用することができる拡張されたオーダービットフィールドを与えることができる。次の式を使用して、そのような単一のオーダーに拡張されたオーダービットフィールドを与えることができる。例えば、４Ｃ−ＨＳＤＰＡについて、
Ｖ＝（Ｄ２＋Ｕ２）＋３Ｄ３＋６Ｄ４＋（１−Ｄ４）（Ｄ３＋Ｄ２Ｕ２−Ｄ３Ｕ２−Ｄ３Ｄ２）（−１＋Ｄ２＋Ｕ２）
ｘｏｒｄ＝（ｘｏｄｔ，１，ｘｏｄｔ，２，ｘｏｄｔ，３，ｘｏｒｄ，１，ｘｏｒｄ，２，ｘｏｒｄ，３）＝ｄｅｃ２ｂｉｎ（Ｖ＋８）
【０１８０】
次の式を適用し、使用して、８Ｃ−ＨＳＤＰＡを４Ｃ−ＨＳＤＰＡと後方互換にすることもできる。  
Ｘ＝Ｖ＋１２Ｄ５＋２４Ｄ６＋４８Ｄ７＋９６Ｄ８
ｘｏｒｄ＝（ｘｔｂｓ，５，ｘｔｂｓ，６，ｘｏｄｔ，１，ｘｏｄｔ，２，ｘｏｄｔ，３，ｘｏｒｄ，１，ｘｏｒｄ，２，ｘｏｒｄ，３）＝ｄｅｃ２ｂｉｎ（ｍｏｄ（Ｘ＋７２，１９２））
ここで、ＤｋおよびＵｋは、ダウンリンクキャリアおよびアップリンクキャリアｋの所望のアクティブ化状態を表すことができ、１はアクティブ化、０は非アクティブ化を表すことができる。
【０１８１】
８Ｃ−ＨＳＤＰＡでのキャリアアクティブ化／非アクティブ化に関する追加の例示的なオーダーマッピングテーブルフォーマットおよび式を定義することができる。例えば、４Ｃ−ＨＳＤＰＡの６ビットＨＳ−ＳＣＣＨオーダーに関して、ＴＢＳビット（６ビット）に、「１１１１０１」をセットすることができ、これを、「０１ｘｘｘｘｘｘ」として８ビットＨＳ−ＳＣＣＨオーダーに変換することができる。拡張されたビットフィールド（ｘｔｂｓ，５，ｘｔｂｓ，６）＝「０１」を有する８ビットオーダーマッピングテーブルでの４Ｃ−ＨＳＤＰＡオーダーとの後方互換性を、例えば、次の式を適用することによって維持することもできる。  
ｘｏｒｄ＝（ｘｔｂｓ，５，ｘｔｂｓ，６，ｘｏｄｔ，１，ｘｏｄｔ，２，ｘｏｄｔ，３，ｘｏｒｄ，１，ｘｏｒｄ，２，ｘｏｒｄ，３）＝ｄｅｃ２ｂｉｎ（ｍｏｄ（Ｘ＋７２，１９２））
例えば、これを、
Ｘ＋７２＝（Ｖ＋８）＋６４＝（Ｖ＋８）＋２６
によって判定することができ、ここで、２６は、（ｘｔｂｓ，５，ｘｔｂｓ，６）＝「０１」を示す。８ビットオーダーマッピングテーブル内で「００」から（ｘｔｂｓ，５，ｘｔｂｓ，６）を開始するために、新しい式を、次のように８Ｃ−ＨＳＤＰＡについて提案することができる。  
ｘｏｒｄ＝（ｘｔｂｓ，５，ｘｔｂｓ，６，ｘｏｄｔ，１，ｘｏｄｔ，２，ｘｏｄｔ，３，ｘｏｒｄ，１，ｘｏｒｄ，２，ｘｏｒｄ，３）＝ｄｅｃ２ｂｉｎ（ｍｏｄ（Ｘ＋８，１９２））
【０１８２】
構成（または状態）あたり１つのオーダーを使用することができる例示的な実施形態では、８ビットオーダーマッピングテーブルを、本明細書で上述するように定義し、提供することができる。オーダーマッピングテーブルを、オプションで、８Ｃ−ＨＳＤＰＡのセカンダリキャリアにも対処するのではなく、ＵＬ  ＣＬＴＤ／ＭＩＭＯのアクティブ化／非アクティブ化のために定義することができる。上述したように、ある構成のアクティブ化および非アクティブ化を２つの異なるオーダーを使用して実施することができる場合に、ＨＳ−ＳＣＣＨオーダーの総数を、許容される構成の個数の２倍とすることができる。さらに、ある構成のアクティブ化および非アクティブ化を単一のオーダーによってシグナリングすることができる（例えば、そのオーダーが、アクティブ／非アクティブの間でトグルする）場合に、ＨＳ−ＳＣＣＨオーダーの総数を、許容される構成の個数と同一とすることができる。上述したように、現在、６ビットオーダーマッピングテーブルに４４個（可能な６４引く使用済みの１２引く予約済みの８）の未使用のオーダーがある可能性があり、８ビットオーダーマッピングテーブルに５６個（可能な２５６引く使用済みの１９２引く予約済みの８）の未使用のオーダーがある可能性がある。従って、構成または状態ごとに１つのオーダーを提供する手法を、未使用のオーダーから複数のオーダーを選択することによって、６ビットテーブルと８ビットテーブルとの両方に適用することができる。他の例では、マッピングを、上述したように定義することができる。
【０１８３】
８ビットオーダーマッピングテーブルでは、ＵＬ  ＣＬＴＤ／ＭＩＭＯのアクティブ化／非アクティブ化の式を提供することもできる。例えば、ＭＩＭＯ／ＣＬＴＤ非アクティブ化およびＭＩＭＯ／ＣＬＴＤアクティブ化を提供し、使用して（例えば、そのような式として）、ＵＬ  ＣＬＴＤの所望のアクティブ化状態を表すことができ、ここで、１はアクティブ化を表し、０は非アクティブ化を表すことができる。
【０１８４】
オーダーマッピングテーブルを、８Ｃ−ＨＳＤＰＡのＵＬ  ＣＬＴＤ／ＭＩＭＯおよびセカンダリキャリアのアクティブ化／非アクティブ化に関して定義することもできる。８ビットオーダーマッピングテーブル内で８Ｃ−ＨＳＤＰＡのＵＬ  ＣＬＴＤ／ＭＩＭＯおよびセカンダリキャリアのアクティブ化／非アクティブ化に関してＨＳ−ＳＣＣＨオーダーを割り当てる例を、次のように定義することができる。
【０１８５】
例えば、ＨＳ−ＳＣＣＨオーダーを、４Ｃ−ＨＳＤＰＡ（例えば、ＴＢＳ＝「０１」の第５のビットおよび第６のビットを開始する）および８Ｃ−ＨＳＤＰＡとそれに続くＵＬ  ＣＬＴＤ／ＭＩＭＯによって提供されるオーダー内で８ビットオーダーマッピングテーブル内で上から下へ割り当てることができ、ＵＬ  ＣＬＴＤ／ＭＩＭＯのアクティブ化／非アクティブ化のオーダーを８ビットオーダーマッピングテーブル内で実施できるようになる。
【０１８６】
ＨＳ−ＳＣＣＨオーダーを、４Ｃ−ＨＳＤＰＡ（例えば、ＴＢＳ＝「０１」の第５のビットおよび第６のビットを開始する）およびＵＬ  ＣＬＴＤ／ＭＩＭＯとそれに続く８Ｃ−ＨＳＤＰＡによって提供されるオーダー内で８ビットオーダーマッピングテーブル内で上から下へ割り当てることもでき、ＵＬ  ＣＬＴＤ／ＭＩＭＯのアクティブ化／非アクティブ化のオーダーを６ビットオーダーマッピングテーブル内で実施することができるようになる。
【０１８７】
ＨＳ−ＳＣＣＨオーダーを、さらに、４Ｃ−ＨＳＤＰＡ（例えば、ＴＢＳ＝「００」の第５のビットおよび第６のビットを開始する）を含む８Ｃ−ＨＳＤＰＡおよびそれに続くＵＬ  ＣＬＴＤ／ＭＩＭＯによって提供されるオーダー内で８ビットオーダーマッピングテーブル内で上から下へ割り当てることもでき、ＵＬ  ＣＬＴＤ／ＭＩＭＯのアクティブ化／非アクティブ化のオーダーを８ビットオーダーマッピングテーブル内で実施することができるようになる。
【０１８８】
さらに、ＨＳ−ＳＣＣＨオーダーを、ＵＬ  ＣＬＴＤ／ＭＩＭＯと４Ｃ−ＨＳＤＰＡ（例えば、ＴＢＳ＝「０１」の第５のビットおよび第６のビットを開始する）を含む８Ｃ−ＨＳＤＰＡとによって提供されるオーダー内で８ビットオーダーマッピングテーブル内で上から下へ割り当てることもできる。
【０１８９】
例示的な実施形態によれば、バンドルされたまたはペアリングされたキャリアを有するＭＣ−ＨＳＤＰＡとバンドルされたまたはペアリングされたキャリアを有しないＭＣ−ＨＳＤＰＡとで同一のデータレートをサポートするために、ＵＥがバンドリングまたはペアリングに関わりなく同一のデータレートをサポートすることができる可能性があることを示すことができるＵＥカテゴリを提供し、導入することができる。そのようなＵＥカテゴリを、ＲＲＣメッセージ内に含めることができる１つまたは複数のビットを介してシグナリングする（例えば、ＵＥに）ことができる。従って、ＣＱＩテーブルを提供し、導入して、そのようなＵＥカテゴリから生じる複数のキャリアにまたがるより大きいＴＢＳおよびそれに関連するビットをサポートすることができる。
【０１９０】
さらに、１つのＴｒＢｌｋがＫ個のキャリアにまたがることができるので、ＨＡＲＱ−ＡＣＫおよびＣＱＩなどのフィードバック情報を、ＭＩＭＯが構成されない状態でＫ個のキャリアについて１つ、ＭＩＭＯが構成される状態でＫ個のキャリアについて２つに減らすことができる。しかし、ＵＥは、それでも、ＮｏｄｅＢでの柔軟なＨＡＲＱスケジューリングを容易にするために、Ｋ個のキャリアに対応するＫ個のＣＱＩ値を測定し、報告することができる。ＵＬフィードバックおよびＣＱＩ負荷を減らすために、Ｋ個のＣＱＩを、本明細書で説明する方法のように報告することができる。例えば、バンドルされたまたはペアリングされたキャリアごとに、より高い粒度を有する１つのベースＣＱＩおよびより低い粒度を有するＫ個のキャリアに対応するＫ個のｄｅｌｔａ＿ＣＱＩを報告することができる。
【０１９１】
別の実施形態によれば、Ｅ−ＴＦＣ（例えば、Ｅ−ＴＦＣ（enhanced dedicated channel transport format combination：拡張専用チャネルトランスポートフォーマット結合））制限またはＴＦＣ（例えば、transport format combination）制限を使用し、提供することができ、Ｅ−ＴＦＣ制限またはＴＦＣ制限は、推定されたＨＳ−ＤＰＣＣＨ送信または上述したようにＨＳ−ＳＣＣＨオーダーで提供されるかＲＲＣ構成に基づくものとすることができるセカンダリサービングセル（例えば、ＨＳ−ＤＳＣＨセル）のアクティブ化状態に基づく推定されたＨＳ−ＤＰＣＣＨ送信を定義することができる。ＨＳ−ＤＰＣＣＨ送信電力（ＰＨＳ−ＤＰＣＣＨ）に基づくセルアクティブ化状況とＭＣ−ＨＳＤＰＡに関するＵＥでのＴＦＣ選択とに関する実施形態を、以下で説明することができる。
【０１９２】
例えば、カバレッジを最大にするためにＵＥは、あるＴＦＣまたはＥ−ＴＦＣが最大送信電力より多くの電力を使用する可能性があると推定することができるトランスポートフォーマット結合の使用を制限することができる。そのような手順中に、ＵＥは、ＨＳ−ＤＰＣＣＨ送信電力（ＰＨＳ−ＤＰＣＣＨ）を推定することができる。様々なシナリオを保護するために電力オフセットセッティングを選択することができるように、ＵＥを、ＤＣ−ＨＳＤＰＡモードなしでまたはＤＣーＨＰＤＰＡモードもしくはＤＣ−ＨＳＤＰＡ−ＭＩＭＯモードを用いてＭＩＭＯを用いて構成することができるように、推定されたＨＳ−ＤＰＣＣＨ送信電力（ＰＨＳ−ＤＰＣＣＨ）を、ＵＥ構成に基づくものとすることができる。ＭＣ−ＨＳＤＰＡ（例えば、４Ｃ−ＨＳＤＰＡおよび８Ｃ−ＨＳＤＰＡ）では、セカンダリサービングＨＳ−ＤＳＣＨセルのアクティブ化／非アクティブ化のときに、異なる電力オフセットセッティングを、ＨＳ−ＤＰＣＣＨ送信に使用することができる。ＨＳ−ＤＰＣＣＨ送信電力を正確に推定し、従って、ＭＣ−ＨＳＤＰＡでのシステム性能を最適化するために、ＰＨＳ−ＤＰＣＣＨを、ＵＥセルアクティブ化状況に基づいて、またはＨＳ−ＤＰＣＣＨ（または、８Ｃ−ＨＳＤＰＡでＨＳ−ＤＰＣＣＨ２を構成し、送信することができる場合にはＨＳ−ＤＰＣＣＨ２、もしくは、ＭＣ−ＨＳＤＰＡでｋ個のＨＳ−ＤＰＣＣＨを構成し、送信することができる場合にはＨＳ−ＤＰＣＣＨｋ）にマッピングされたアクティブセルの個数に基づいて、推定することができる。推定されたＨＳ−ＤＰＣＣＨ送信電力は、ＰＤＰＣＣＨ，ｔａｒｇｅｔと、最新のＵＥセルアクティブ化状況もしくはＵＥがＨＳ−ＤＰＣＣＨ送信電力を推定する前またはそのときのＨＳ−ＤＰＣＣＨ（または、８Ｃ−ＨＳＤＰＡでＨＳ−ＤＰＣＣＨ２を構成し、送信することができる場合にはＨＳ−ＤＰＣＣＨ２、もしくは、ＭＣ−ＨＳＤＰＡでｋ個のＨＳ−ＤＰＣＣＨを構成し、送信することができる場合にはＨＳ−ＤＰＣＣＨｋ）にマッピングされたアクティブセルの個数に従うＨＳ−ＤＰＣＣＨの電力オフセットセッティングと、に基づくものとすることができる。
【０１９３】
一実施形態では、推定されたＨＳ−ＤＰＣＣＨ送信電力を、ＰＤＰＣＣＨ，ｔａｒｇｅｔと、ＵＥがＨＳ−ＤＰＣＣＨ送信電力を推定する前またはそのときのＵＥセルアクティブ化状況によるＨＳ−ＤＰＣＣＨの電力オフセットセッティングの最大値とに基づくものとすることができる。例えば、ＵＥを、８つのキャリアを用いて構成することができ、ＭＩＭＯモードであるものとすることができる場合に、ＴＴＩ  ｎに、ＨＳ−ＤＰＣＣＨ（またはＨＳ−ＤＰＣＣＨ２）にマッピングされたアクティブセルの個数を４とすることができ、推定されたＨＳ−ＤＰＣＣＨ送信電力を、ＰＤＰＣＣＨ，ｔａｒｇｅｔと、（ＤＡＣＫ＋２）、（ＤＮＡＣＫ＋２）、および（ＤＣＱＩ＋２）の最大値とに基づくものとすることができ、ＤＡＣＫ、ＤＮＡＣＫ、およびＤＣＱＩは、最近にシグナリングされた値であり、ＴＴＩ（ｎ＋１）には、ＨＳ−ＤＰＣＣＨ（またはＨＳ−ＤＰＣＣＨ２）にマッピングされたアクティブセルの個数を２とすることができ、推定されたＨＳ−ＤＰＣＣＨ送信電力を、ＰＤＰＣＣＨ，ｔａｒｇｅｔと、（ＤＡＣＫ＋１）、（ＤＮＡＣＫ＋１）、および（ＤＣＱＩ＋１）の最大値とに基づくものとすることができ、ＤＡＣＫ、ＤＮＡＣＫ、およびＤＣＱＩは、最近にシグナリングされた値である。
【０１９４】
別の実施形態によれば、ＣＱＩタイプＡおよび／またはＢの差を区別することができる。例えば、ＴＴＩ  ｎに、ＨＳ−ＤＰＣＣＨ（またはＨＳ−ＤＰＣＣＨ２）にマッピングされるアクティブセルの個数を４とすることができ、推定されたＨＳ−ＤＰＣＣＨ送信電力を、ＰＤＰＣＣＨ，ｔａｒｇｅｔと、タイプＡのＣＱＩを送信するように構成することができるときに（ＤＡＣＫ＋２）、（ＤＮＡＣＫ＋２）、および（ＤＣＱＩ＋２）の最大値、タイプＢのＣＱＩを送信するように構成することができるときに（ＤＡＣＫ＋２）、（ＤＮＡＣＫ＋２）、および（ＤＣＱＩ＋１）の最大値（例えば、ＤＡＣＫ、ＤＮＡＣＫ、およびＤＣＱＩを、最近にシグナリングされた値とすることができる）とに基づくものとすることができる。さらに、ＴＴＩ（ｎ＋１）には、ＨＳ−ＤＰＣＣＨ（またはＨＳ−ＤＰＣＣＨ２）にマッピングされるアクティブセルの個数を２とすることができ、推定されたＨＳ−ＤＰＣＣＨ送信電力を、ＰＤＰＣＣＨ，ｔａｒｇｅｔと、タイプＡのＣＱＩを送信するように構成することができるときに（ＤＡＣＫ＋１）、（ＤＮＡＣＫ＋１）、および（ＤＣＱＩ＋１）の最大値、タイプＢのＣＱＩを送信するように構成することができるときに（ＤＡＣＫ＋１）、（ＤＮＡＣＫ＋１）、およびＤＣＱＩの最大値（例えば、ＤＡＣＫ、ＤＮＡＣＫ、およびＤＣＱＩを、最近にシグナリングされた値とすることができる）とに基づくものとすることができる。
【０１９５】
Ｅ−ＤＣＨ  ＴＴＩを１０ｍｓとすることができる場合に、ＨＳ−ＤＰＣＣＨにマッピングされるアクティブセルの個数は、変化することができ、従って、１０ｍｓ  ＴＴＩ中のＨＳ−ＤＰＣＣＨに関する電力オフセットセッティングは、変化する可能性がある。一実施形態では、ＵＥは、そのような変化を無視することができ、推定されたＨＳ−ＤＰＣＣＨ送信電力は、ＰＤＰＣＣＨ，ｔａｒｇｅｔと、最新のＵＥセルアクティブ化状況に従うＨＳ−ＤＰＣＣＨの電力オフセットセッティングまたはＵＥが各１０ｍｓ  ＴＴＩにＨＳ−ＤＰＣＣＨ送信電力を推定することができる前またはそのときのＨＳ−ＤＰＣＣＨ（または、ＨＳ−ＤＰＣＣＨ２を８Ｃ−ＨＳＤＰＡで構成し、送信することができる場合にはＨＳ−ＤＰＣＣＨ２、もしくはｋ個のＨＳ−ＤＰＣＣＨをＭＣ−ＨＳＤＰＡで構成し、送信することができる場合にはＨＳ−ＤＰＣＣＨｋ）にマッピングされたアクティブセルの個数とに基づくものとすることができる。次の１０ｍｓ  ＴＴＩ（または後続のＴＴＩ）に、推定されたＨＳ−ＤＰＣＣＨ送信電力を、ＰＤＰＣＣＨ，ｔａｒｇｅｔと、以前の１０ｍｓ  ＴＴＩ中に変化する可能性がある最新のＵＥセルアクティブ化状況に従うＨＳ−ＤＰＣＣＨの電力オフセットセッティングとに基づくものとすることができ、ＵＥが現在の１０ｍｓ  ＴＴＩでＨＳ−ＤＰＣＣＨ送信電力を推定することができるまでまたはそのときに変更されないままにすることができ、または、ＵＥが現在の１０ｍｓ  ＴＴＩでＨＳ−ＤＰＣＣＨ送信電力を推定することができる直前に変更することができる。
【０１９６】
例示的な実施形態によれば、ＭＣ−ＨＳＤＰＡで複数のＨＳ−ＤＰＣＣＨを構成し、送信することができる（例えば、２つのＨＳ−ＤＰＣＣＨを、ＨＳ−ＤＰＣＣＨおよびＨＳーＤＰＣＣＨ２（またはＨＳーＤＰＣＣＨ２）と表される８Ｃ−ＨＳＤＰＡで構成し、送信することができる）ときに、ＨＳ−ＤＰＣＣＨおよびＨＳ−ＤＰＣＣＨ２にマッピングされるアクティブセルの個数は、異なる可能性があり、ＨＳ−ＤＰＣＣＨおよびＨＳーＤＰＣＣＨ２の電力オフセットセッティングは、同一のＴＴＩまたはスロットで異なる可能性があり、推定されるＨＳ−ＤＰＣＣＨ送信電力は、ＰＤＰＣＣＨ，ｔａｒｇｅｔと、最新のＵＥセルアクティブ化状況に従う各個々のＨＳ−ＤＰＣＣＨ（例えば、ＨＳ−ＤＰＣＣＨまたはＨＳ−ＤＰＣＣＨ２）の電力オフセットセッティングとに基づくものとすることができる。また、ＵＥを、ＤＣ−ＨＳＵＰＡを用いて構成することができるときに、ＰＤＰＣＣＨ，ｔａｒｇｅｔは、推定されたプライマリアクティブ化周波数ＤＰＣＣＨ（Primary Activated Frequency DPCCH）電力を参照しまたはこれを定義することができ、上述した実施形態を、ＨＳ−ＤＰＣＣＨ送信電力を推定するために適用することができる。
【０１９７】
様々な実施形態を、３ＧＰＰ  ＵＭＴＳ無線通信での８Ｃ−ＨＳＤＰＡの文脈で説明したが、これらの実施形態を、８とは異なるＭの値を有するＭＣ−ＨＳＤＰＡに拡張することができ、ＬＴＥでのＣＡ（キャリアアグリゲーション）などの複数キャリア構成を有する任意の無線技術に適用することもできる。
【０１９８】
さらに、本文書全体で、「複数のキャリア」、「複数のセル」、「セカンダリキャリア」および「セカンダリセル」を、交換可能に使用する場合がある。本明細書で提案される方法を、複数のキャリアの動作または複数のセルの動作のいずれかに適用することができ、ある実施形態が、複数のキャリアの動作に関して開示された場合があるが、これらが、複数のセルの動作に適用可能である可能性があり、逆も同様である。複数のセルの動作を、同一の周波数（例えば、キャリア）上または異なる周波数上で実施することができる。
【０１９９】
さらに、特徴および要素を、上記では特定の組合せで説明したが、当業者は、各特徴または要素を、単独でまたは他の特徴および要素との任意の組合せで使用することができることを了解するであろう。さらに、本明細書で説明される方法を、コンピュータもしくはプロセッサによる実行のためにコンピュータ可読媒体に組み込まれたコンピュータプログラム、ソフトウェア、またはファームウェアで実施することができる。コンピュータ可読媒体の例は、電子信号（有線のまたは無線の接続を介して伝送される）およびコンピュータ可読記憶媒体を含む。コンピュータ可読記憶媒体の例は、ＲＯＭ、ＲＡＭ、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびＤＶＤなどの光学媒体を含むが、これに限定はされない。ソフトウェアに関連するプロセッサを使用して、ＷＴＲＵ、ＵＥ、端末、基地局、ＲＮＣ、または任意のホストコンピュータでの使用のための無線周波数トランシーバを実施することができる。
【図１Ａ】
0005634625.tif 000018
【図１Ｂ】
0005634625.tif 000019
【図１Ｃ】
0005634625.tif 000020
【図１Ｄ】
0005634625.tif 000021
【図１Ｅ】
0005634625.tif 000022
【図２】
0005634625.tif 000023
【図３】
0005634625.tif 000024
【図４】
0005634625.tif 000025
【図５】
0005634625.tif 000026
【図６】
0005634625.tif 000027
【図７】
0005634625.tif 000028
【図８】
0005634625.tif 000029
【図９】
0005634625.tif 000030
【図１０】
0005634625.tif 000031
【図１１】
0005634625.tif 000032
【図１２】
0005634625.tif 000033
【図１３】
0005634625.tif 000034